(57)【特許請求の範囲】
【請求項１】
上部が開口し、下部が閉鎖された円筒形をした外筒と、外筒の内部に挿入され、その上端が閉鎖して外筒の底板より上方に延長した円筒形をした内筒と、外筒の下部側面に接続され、内部の空気を流出させる円筒形をした排気ジョイントと、外筒の上部側面に接続され、内部に空気を流入させる円筒形をした吸気ジョイントと、外筒と内筒の間に形成されたドーナツ状の空間であって、排気ジョイントよりも少し上方に位置して設けられた、空気の流動ができる網底板と、外筒と内筒の間に形成されたドーナツ状の空間であって、網底板の上部に挿入された触媒と、外筒と内筒の間に形成されたドーナツ状の空間であって、触媒の上面に位置して挿入されたフィルターと、外筒の上部開口に密着し、外筒の内部空間を外部から閉鎖する蓋板と、内筒の内部に挿入され、通電することで発熱するヒーターとから成ることを特徴とする消臭装置。
【請求項２】
前記内筒は、その上端が閉鎖され、その下部が開口した試験官を逆にした形状となっていて、内筒を外筒の底板より挿入し、内筒の外周と底板を気密に連結し、内筒の下部開口には、内筒の内部空間を閉鎖する下底板を気密に密着させ、下底板にはスパイラル状となったヒーターの基部を固定し、下底板とヒーターを一体にしたことを特徴とする請求項１記載の消臭装置。
【請求項３】
上部が開口し、下部が閉鎖された円筒形をした外筒と、外筒の内部に挿入され、その上端が閉鎖して外筒の底板より上方に延長して外筒の上部開口よりも突出させた円筒形をした内筒と、外筒の下部側面に接続され、内部の空気を流出させる円筒形をした排気ジョイントと、外筒の上部開口に密着され、上下端が開口した円筒形の中間筒と、中間筒の上部開口に密着され、上下端が開口した円筒形の上筒と、上筒の側面に接続され、内部に空気を流入させる円筒形をした吸気ジョイントと、上筒の上部開口に密着し、上筒の内部空間を外部から閉鎖する蓋板と、外筒と内筒の間に形成されたドーナツ状の空間であって、排気ジョイントよりも少し上方に位置して設けられた、空気の流動ができる網底板と、外筒と内筒の間に形成されたドーナツ状の空間であって、網底板の上部に挿入された第一触媒と、中間筒と内筒の間に形成されたドーナツ状の空間であって、第一触媒の上面に位置して挿入された第二触媒と、内筒の内部に挿入され、通電することで発熱するヒーターとから成ることを特徴とする消臭装置。
【請求項４】
前記第二触媒は、空気を流動させる金網で形成され、内径が内筒の外径と同一で、外径が中間筒の内径と同一の形状をした糸巻形をした籠体の周囲に保持されたことを特徴とする請求項３記載の消臭装置。
【請求項５】
前記内筒の内部には、ヒーターの発熱温度を検知する温度センサーを設けたことを特徴とする請求項１又は３記載の消臭装置。
【発明の詳細な説明】
【０００１】
【発明の属する技術分野】
本発明は、悪臭を含む空気の中から、悪臭の成分を酸化・還元して無臭の状態に変化させる消臭装置に関し、特に、屎尿を処理する機構に組み合わせることで大きな効果を得ることができる消臭装置である。
【０００２】
【従来の技術】
人体から排泄された屎尿は、一般の家屋においては水洗トイレ等により下水管に放出するか、浄化槽に一時貯留して浄化してから河川に放流するのが通例である。しかしながら、屋外で催し物を行う場合、例えば運動会、見本市、集会等の人員が多数繰り出す会場では、従来から仮設の便所を設けることで参加者の生理的現象を解消していた。
【０００３】
このように、従来における屋外や浄化施設のない場所での屎尿の処理では、移動できる仮設便所が用いられていた。しかし、その多くは屎尿を一時収納する便槽を持った構造のものであり、人体から排泄された屎尿はそのままこの便槽に蓄えられるものであった。従って、仮設便所を使用した後には、バキュームカー等によって便槽に貯留された屎尿を回収し、屎尿処理施設に移送しなけらばならないものであった。このため、回収後の処理が必要となり、後処理に手数がかかるとともに非衛生的なものであった。
【０００４】
また、長距離を移動する電車、バス、船舶等の交通機関では、排泄された屎尿を貯留する専用のタンクを備えており、このタンク内に屎尿を収納し、化学薬品等で防臭処理を行った後、終着駅や中継地点でバキュームカーにより回収する方法が一般的であった。
【０００５】
このように、従来の仮設便所、あるいは移動できる交通機関での屎尿の処理は、人体より排泄されたままの状態で貯留し、その後回収するのがほとんどであった。このため、貯留方法、回収方法、処理方法の何れをとっても非近代的であり、極めて非衛生的であると言わざるを得なかった。従って、長期間仮設便所を使用していると、排泄した屎尿がタンク内に残留し、悪臭の原因となるものであった。また、使用後の仮設便所を清掃する作業は作業員に嫌がれるため、仮設便所や交通機関の便所のメンテナンスの近代化のためからも好ましいものではなかった。
【０００６】
このような実情から、従来より衛生的に屎尿を処理する方法が各種考えられていた。例えば、屎尿と共に化学薬品を投入し、殺菌及び防臭を行う方法がある。この方法は新幹線等の交通機関に多く用いられているが、薬品を含んだ屎尿がタンクと便器の間で循環するため、長期の使用が行われると便器を流れる水が汚れ、悪臭を発生して使用者にとって不評となっていた。また、タンクを空にして次の使用に準備するために、タンクには多量の薬品を投入しておかなければならず、薬品による経費が高くなる欠点があった。
【０００７】
さらに、ビニール等の袋に屎尿を収納してパッキングすることにより、臭いの発散を防止する方法も考えられている。しかし、一回の排泄においてかなり広い面積のビニール袋を使用しなければならず、処理費用が高くなるとともに、後日ビニール袋から屎尿を分離するための処理が必要とされるものである。この方法では、パッキングするまでの処理は比較的容易であるが、その後の処理が煩わしく、かつその処理施設が大掛かりとなるものであった。
【０００８】
さらに、排泄された屎尿を密閉した蒸発容器に収納し、バーナーの火力で直接屎尿を加熱して蒸発させる方法も考えられている。例えば、特許公告昭和４５年１７２３６号、特許公告昭和４９年２５４５号、特許公告昭和５０年３１４９号、特許公開昭和５２年５８２３９号、特許公開昭和５３年１１０２６８号、特許公開昭和５５年１６５４１５号などが知られている。しかし、これらの方法であっては、バーナーの火炎を屎尿に噴出させてその表面から蒸発させようとしているため、屎尿の大部分の成分である水分は効率良く蒸発できず、完全に屎尿を処理するためには多くのエネルギーを必要としていた。
【０００９】
また、これらの構成であっては屎尿の乾燥後における蒸発容器の清掃は行われず、長期の使用においては蒸発容器の底に屎尿から蒸発できなかった残留物が堆積することになり、熱効率が悪くなるものであった。このような場合には、残留物を清掃するために、その都度装置を分解してメンテナンスを行わなければならず、保守のために手数と費用がかかる欠点があった。
【００１０】
このように、仮設便所での屎尿の処理には多くの問題が残されており、排泄された屎尿を仮設便所の内部で完全に処理することができにくいものであった。このような社会的な需要により、本願の出願人と同一の出願人は屎尿を加熱することで、屎尿の大部分の成分である水分を蒸発させることができる屎尿処理装置を提案している。この提案された屎尿処理装置は仮設便所に設けて使用するものであり、装置内には屎尿を収納する密閉した乾燥釜（耐熱性のある蒸発容器）を設けてあり、この乾燥釜内には回転できる攪拌羽根が軸支してあり、乾燥釜内には攪拌羽根の回転に従って屎尿と共に内底で転動する蓄熱体を複数個収納させた構成となっている。
【００１１】
そして、この乾燥釜を外部から加熱して乾燥釜内の屎尿を加熱し、同時に攪拌羽根を回転させることで屎尿を混合させ、屎尿の水分を迅速に蒸発させることができる。この蒸発の際には、球形をした蓄熱体が乾燥釜の底で転動し、屎尿の温度を均一に加熱すると共に、それ自体の熱を屎尿に伝達して加熱速度を上昇させることができるものである（例えば、特願昭６３年１２４１５０号などがある）。
【００１２】
この機構は基本的なもので、同出願人はその後も改良された屎尿処理装置を順次提案している。特願平２年１６４５９４号では、乾燥釜に空気を圧送するパイプと排気のパイプを連結し、排気のパイプには集塵機と凝縮器を接続した構成が示されている。この機構では、乾燥釜の内部で蒸発された屎尿の内、水蒸気は凝結して回収し、水洗用水に循環して使用することができ、屎尿の乾燥後に乾燥釜に残った塵埃は空気と共に吸引して回収し、塵埃は集塵機によって空気と分離させることができるものである。この機構により、乾燥釜に投入した屎尿から水分を回収でき、屎尿の乾燥後に乾燥釜に残った蒸発できない塵埃を清掃することができ、屎尿処理装置を連続して使用することが可能となるものである。
【００１３】
また、特願平２年４１１５７７号では屎尿処理装置をユニット化し、仮設便所に装着し易いように構成してある。この機構では、乾燥釜の構造を円筒形に形成し、この乾燥釜の側面より屎尿を投入することができるようにしてある。このため、乾燥釜の上部に便器を配置する必要性が無くなり、装置の高さを低くすることができる特徴がある。
【００１４】
特願平２年４１２５５９号では、小便器で回収される小便を貯留する貯留槽を設け、貯留槽と便器の間を噴射噴出パイプで接続した構成である。この構成では、大小便は便器に排泄し、小便は小便器で回収するように区分し、乾燥釜に大小便を投入する際には貯留槽から小便を便器に噴出させ、小便を大小便と共に乾燥釜に投入させることができる。このため、便器を小便で清掃することができ、上水道が設置できない場所であっても仮設便所を水洗化させることができる。
【００１５】
さらに、特願平３年０６７５３８号では、乾燥釜の側面から液面センサーを挿入しておき、乾燥釜内に投入した屎尿の液面の位置を常時検知することができる機構が示されている。この機構では、屎尿の液面高さを検知して判断することにより、一時的に大量の屎尿が投入されて屎尿の蒸発処理の能力を低下させないように防止することができ、オーバーフローによる故障の発生を防止することができるものである。
【００１６】
そして、特願平３年１８９２８０号では、送風器と触媒箱の間にヒーターを内蔵した再加熱箱を配置すると共に、乾燥釜と集塵機を結ぶパイプと触媒箱の間にバイパスを設けた構成である。この構成では、屎尿の蒸発処理の際にはバイパスにより乾燥釜からの空気を触媒箱に流動させて空気の流動を効率化させることができる。また、乾燥釜の清掃処理の際にはバイパスを閉鎖し、塵埃を含んだ空気を集塵機にそのまま流動させることができるものである。
【００１７】
また、特願平３年１８９２８１号は、特願平３年１８９２８０号を改良したものであり、乾燥釜と集塵機を結ぶパイプにはバイパスのパイプを接続し、このバイパスパイプの終端にはエゼクターの負圧側を接続し、エゼクターに触媒箱を接続した構成である。この構成では、バイパスパイプが開通しているとエゼクターにより乾燥釜内の空気が強制的に吸引されて触媒箱に流動させられるので、乾燥釜の空気の流動効率が高められて蒸発が促進される効果がある。
【００１８】
特願平３年２６５２３７号では、乾燥釜の排気パイプにゴミ回収箱を接続し、このゴミ回収箱に紙、布などで形成したゴミ袋を収納した構成である。この構成では、乾燥釜の清掃時には塵埃を含んだ空気をゴミ袋に流入させ、このゴミ袋では空気のみが通過して塵埃は分離することができるものである。サイクロン式の集塵機に比べて確実に塵埃を分離できる効果がある。
【００１９】
そして、特願平５年０３１１７０号では、便器と屎尿処理装置を分離し、便器に投入された屎尿をタンクに貯留した後にバッジ式に連続して蒸発・乾燥の処理を行うことができるものである。この屎尿処理装置では、水平な軸で回動できるやや球形の乾燥釜の上部に屎尿投入用の開口を形成し、乾燥釜の内部には球形の蓄熱体を収納してあり、乾燥釜の底部を加熱できるバーナーを設けた構成である。この構成により、乾燥釜に投入された屎尿はバーナーの熱で蒸発・乾燥され、この処理の間は乾燥釜を揺動することにより蓄熱体で屎尿を攪拌でき、乾燥後は乾燥釜を回転することで塵埃を開口より落下させることができるものである。
【００２０】
特願平５年１２１９６８号では、乾燥釜の送風パイプと排気パイプに切り換え弁を介在させ、切り換え弁を介してゴミ回収箱と送風機を乾燥釜に直列に接続できるように構成してある。この構成では、乾燥釜の清掃時には空気が屎尿処理装置の内部で循環し、塵埃の回収効率が向上する効果がある。
【００２１】
特願平５年１２５３６０号では、乾燥釜の下面に高周波コイルを設置し、この高周波コイルに高周波の電力を供給することにより電磁波を発生させる構成である。乾燥釜には高周波の電磁波が交拌するため、直接加熱ではなく、乾燥釜自体が発熱して屎尿を加熱することができる。このため、迅速に必要とする乾燥釜のみを加熱させることができ、熱損失が少なくなる効果がある。
【００２２】
特願平５年３０７１３５号では、乾燥釜自体は通常は直立しており、乾燥釜の上部は常時開口しており、清掃時のみ転倒できる構成となっている。この乾燥釜の内部には蓄熱体を収納すると共に、上部の開口は転倒時に閉鎖できる蓋板を設けてある。この構成では、乾燥釜に投入した屎尿の蒸発・乾燥の処理の際には、乾燥釜自体は静止して直立しているが、屎尿が蒸発した後の清掃の処理の際には乾燥釜が転倒し、内部に残っていた塵埃をその開口から放出させることができる。この塵埃の放出の際において、蓋板（その面には小さな穴が複数個開口してある）が自動的に乾燥釜の開口を閉鎖し、蓄熱体が落下するのを防止して、塵埃のみが蓋板の小さな穴からゴミ皿に放出させることができるものであり、屎尿処理装置の構成を簡略化させることができる。
【００２３】
さらに、特願平５年３１４４４５号では、回転自在に乾燥釜を支持しておき、この乾燥釜の外周にはモーターの出力を噛み合わせておき、乾燥釜内には球形の蓄熱体を複数個収納し、乾燥釜の上部に位置している蓋板からは乾燥釜の内部に向けて邪魔板を３本挿入した構成となっている。この構成では、今までの屎尿処理装置の乾燥釜と相違し、乾燥釜自体が垂直な軸線を中心にして回転し、高周波コイルからの電磁波によって屎尿を加熱させることができるものである。そして、乾燥釜の内部に収納してある蓄熱体は邪魔板によって乾燥釜と共には回転せず、乾燥釜の底で転動し、屎尿を攪拌して加熱することができるものである。この構成では、乾燥釜の内部で攪拌羽根を回転させる必要が無くなるので、屎尿処理装置全体の高さを低くすることができる。また、回転羽根を回転させる構成であっては、乾燥釜内に投入された屎尿以外の異物（例えば、ボールペン、衣類、時計など）が回転する回転羽根に絡みつくことによる故障を排除できる優れた効果を有するものである。
【００２４】
また、特願平６年１５１６３１号では、同様に、回転自在に乾燥釜を支持しておき、この乾燥釜の外周にはモーターの出力を噛み合わせておき、乾燥釜内には球形の蓄熱体を複数個収納し、乾燥釜の上部に位置している蓋板からは乾燥釜の内部に向けて邪魔板を１本挿入した構成となっている。この構成であっても、乾燥釜自体が垂直な軸線を中心にして回転し、高周波コイルからの電磁波によって屎尿を加熱させることができるものである。この発明では、邪魔板は吸引パイプに固定された１枚で形成してあり、複数の邪魔板間に蓄熱体が嵌まり込まないため、乾燥釜の回転により蓄熱体が確実に転動できるものであった。
【００２５】
これらの新しく提案された屎尿処理装置では、排泄された屎尿は乾燥釜内で密閉されたままで加熱でき、攪拌羽根や乾燥釜が回転することで屎尿が混合させることができるものである。加熱された屎尿は、全体の温度が均一に上昇し、大部分の成分である水分が蒸発し、水蒸気となって大気中に発散される。この加熱と混合により屎尿の蒸発速度が早くなり、屎尿の処理時間が短縮することができるものである。また、大気中に拡散される水蒸気は触媒等で無臭化させ、人家等が立ち込んでいたり、人員が多数集合しているような場所であっても、悪臭を発散させることがなく、環境保全の面からしても好ましいものであった。
【００２６】
このように密閉された蒸発容器内で屎尿を蒸発、拡散させるのは極めて衛生的であり、かつ作業をシステム化することができて、メンテナンス等において作業員に負担をかけないものである。しかし、従来の屎尿処理装置では乾燥釜を固定しておき、この乾燥釜の内部で攪拌羽根を回転させて屎尿を混合させる構成のものが殆どであった。この機構であっては、乾燥釜内に屎尿以外の蒸発できない異物が投入されると、回転する攪拌羽根とこの異物が噛み合い、故障の原因となることが多かった。例えば、使用者の不注意により、便器に金属製のボールペン、ベルト、衣類等が投入されることもある。これらの異物が乾燥釜に投入されると、異物が攪拌羽根と乾燥釜の間に食い込み、攪拌羽根の回転を停止させたり、攪拌羽根や乾燥釜を磨耗させる現象を発生させるものであった。
【００２７】
また、乾燥釜の内部に攪拌羽根を収納しておくと、限定された乾燥釜の内部空間がこれらの機構で狭くなるため、乾燥釜の内部空間を有効に利用することができない要因となっていた。
【００２８】
このような欠点を解消するため、特願平５年３１４４４５号、特願平６年１５１６３１号では乾燥釜自体を回転させる構成とし、攪拌羽根を用いずに屎尿を混合させることができるように工夫してある。だが、この機構であっては、乾燥釜を回転自在に支持しなければならず、しかも、乾燥釜を上下方向に移動せず、かつ、中心軸が偏位しないように支持しなければならない。回転する乾燥釜が上下に移動したり、回転軸が味噌擂り運動を起こすとなれば、乾燥釜の開口端が蓋板から離れることになり、乾燥釜の気密性が保たれなくなるからである。
【００２９】
このように、乾燥釜の回転運動を規制しようとすれば、上下方向と回転方向の二方向の規制機構（ローラーなど）が必要となり、この規制機構は複雑にならざるを得ないものである。また、規制機構が複雑となれば、乾燥釜の組み立ての作業工程に手間がかかるものであり、また、屎尿処理装置の点検や保守のために乾燥釜を取り外す作業に手数がかかるものであった。
【００３０】
また、この乾燥釜で屎尿を蒸発・乾燥させた後に残る塵埃は、連続して屎尿の処理を行うために除去しなければならないが、清掃のための吸引パイプを乾燥釜に所定の長さだけ挿入させる制御が困難なものであった。従来では、吸引パイプの移動量を検出して、適正な長さだけ上下動できるように制御していたが、吸引パイプを移動させるための機構と制御の機構が複雑になるものであった。
【００３１】
このため、本願の出願人は特願平６年２１９４５７号によりこれらの欠点を改良した屎尿処理装置を出願している。この新しく提案された屎尿処理装置では、架台の上部に回転保持手段を設け、この回転保持手段の下部に蒸発容器を吊り下げ、この蒸発容器の下面に間隔を置いて電磁加熱手段を設けた構成を特徴とするものである。この提案された構成では、蒸発容器は吊り下げられて回転されるため、その下部、側面には何ら支持手段を設ける必要が無くなり、蒸発容器を保持する機構が極めて簡素となる特徴がある。また、この構成では、蒸発容器だけを回転保持手段の下部から取り外すことが可能となり、定期的な点検や保守のために蒸発容器の内部を外部に露出させることが容易となった。
【００３２】
【発明が解決しようとする課題】
このように屎尿を蒸発乾燥させる処理装置は各種の機構のものが開発されてきている。この場合、屎尿を蒸発させると、屎尿から蒸発した水蒸気にはアンモニア、尿素などの悪臭の成分が含まれていて、そのままでは周囲に悪臭を拡散することになる。このため、従来の屎尿処理装置では何れも悪臭の成分を酸化・還元して無臭の状態に変質させる触媒をその空気の流動の経路に配置しておくのが通常であった。
【００３３】
この防臭装置では、従来は水蒸気を再加熱し、高温の状態に維持したままで、プラチナや白金などの触媒粒子にその水蒸気を接触させる処理がなされていた。このため、再加熱するための専用の機構と、触媒を保持するための専用の機構の二つに分離されていた。このため、蒸発した水蒸気が再加熱機構で一旦加熱され、触媒機構の中にある触媒粒子と接触し、触媒粒子に接触して酸化・還元され、無臭に変質されて空気中に拡散されていた。この機構では、二つの機構がそれぞれ独立して分離されていて、装置全体の形状が大きくならざるを得ないものであった。また、触媒は常時一定の温度に加熱して維持しておかなければならない。これは、触媒の性質上から、特定の温度以上に維持されていなければ、触媒としての機能を果たすことができないからである。このことから、再加熱機構と触媒とが離れた位置にあると、その熱効率は悪くなるものであった。
本願の発明はこの点に着目し、触媒粒子とヒーターとを同じ密封した容器に収納しておき、ヒーターで触媒粒子を加熱することで酸化・還元の機能を発揮させることができるようにしてある。さらに、ヒーターから近い位置に触媒粒子を配置させ、熱効率を高めるさせることができるようにした。
【００３４】
【課題を解決するための手段】
【００３５】
本願の請求項１の発明は、上部が開口し、下部が閉鎖された円筒形をした外筒と、外筒の内部に挿入され、その上端が閉鎖して外筒の底板より上方に延長した円筒形をした内筒と、外筒の下部側面に接続され、内部の空気を流出させる円筒形をした排気ジョイントと、外筒の上部側面に接続され、内部に空気を流入させる円筒形をした吸気ジョイントと、外筒と内筒の間に形成されたドーナツ状の空間であって、排気ジョイントよりも少し上方に位置して設けられた、空気の流動ができる網底板と、外筒と内筒の間に形成されたドーナツ状の空間であって、網底板の上部に挿入された触媒と、外筒と内筒の間に形成されたドーナツ状の空間であって、触媒の上面に位置して挿入されたフィルターと、外筒の上部開口に密着し、外筒の内部空間を外部から閉鎖する蓋板と、内筒の内部に挿入され、通電することで発熱するヒーターとから成ることを特徴とする消臭装置である。
【００３６】
本願の請求項２の発明は、前記内筒は、その上端が閉鎖され、その下部が開口した試験官を逆にした形状となっていて、内筒を外筒の底板より挿入し、内筒の外周と底板を気密に連結し、内筒の下部開口には、内筒の内部空間を閉鎖する下底板を気密に密着させ、下底板にはスパイラル状となったヒーターの基部を固定し、下底板とヒーターを一体にしたことを特徴とする消臭装置である。
【００３７】
本願の請求項３の発明は、上部が開口し、下部が閉鎖された円筒形をした外筒と、外筒の内部に挿入され、その上端が閉鎖して外筒の底板より上方に延長して外筒の上部開口よりも突出させた円筒形をした内筒と、外筒の下部側面に接続され、内部の空気を流出させる円筒形をした排気ジョイントと、外筒の上部開口に密着され、上下端が開口した円筒形の中間筒と、中間筒の上部開口に密着され、上下端が開口した円筒形の上筒と、上筒の側面に接続され、内部に空気を流入させる円筒形をした吸気ジョイントと、上筒の上部開口に密着し、上筒の内部空間を外部から閉鎖する蓋板と、外筒と内筒の間に形成されたドーナツ状の空間であって、排気ジョイントよりも少し上方に位置して設けられた、空気の流動ができる網底板と、外筒と内筒の間に形成されたドーナツ状の空間であって、網底板の上部に挿入された第一触媒と、中間筒と内筒の間に形成されたドーナツ状の空間であって、第一触媒の上面に位置して挿入された第二触媒と、内筒の内部に挿入され、通電することで発熱するヒーターとから成ることを特徴とする消臭装置である。
【００３８】
本願の請求項４の発明は、前記第二触媒は、空気を流動させる金網で形成され、内径が内筒の外径と同一で、外径が中間筒の内径と同一の形状をした糸巻形をした籠体の周囲に保持されたことを特徴とする消臭装置である。
【００３９】
本願の請求項５の発明は、前記内筒の内部には、ヒーターの発熱温度を検知する温度センサーを設けたことを特徴とする消臭装置である。
【００４０】
【発明の実施の形態】
以下、本発明の一実施の形態を図面により説明する。この実施の形態では、屎尿を加熱することにより蒸発・乾燥させて処理できる仮設便所１１に本願の防臭装置を組み込んだ機構について説明する。しかしながら、この実施の形態に限定されることなく、他の悪臭を発生する装置、例えは、塵焼却装置や化学反応装置であっても同一の目的を達成することはいうまでもない。また、本実施の形態では、それ単独で自由に移動させることができ、催物会場、河川敷等の場所で一時的に利用することができる仮設便所１１に屎尿処理装置を応用した例について説明している。
【００４１】
〔仮設便所１１の全体の構成〕
【００４２】
図１は、本実施の形態における仮設便所１１の外観を示すものであり、この仮設便所１１の外枠は、例えば、プラスチックや強化合成樹脂で形成されており、全体が立体形の箱状となっている。この仮設便所１１の底部分は地面に設置される基台１２となっており、この基台１２は平面形状の正方形をした高さが低い平坦な立方体形をしている。この基台１２の上面には、利用者が内部に入ることができる空間を形成し、上部に屋根を設けた家状のハウス１３が載置してある。このハウス１３の一側面には、手前側に引いくことでハウス１３の内部が開放でき、利用者がハウス１３内に出入りすることができるドアー１４が取り付けてある。
【００４３】
この仮設便所１１の内部であって基台１２の上部には、屎尿を加熱することで蒸発させて処理する屎尿処理装置１５が固定してある。そして、屎尿処理装置１５の上部の中央には洋式の便器１６が固定してあり、仮設便所１１の利用者はこの便器１６を屎尿の排泄に利用することができる。そして、屎尿処理装置１５の上面であって、便器１６の側面にはハウス１３の内壁に接近するように消臭・除塵機構１８が固定してある。この消臭・除塵機構１８は屎尿処理装置１５の内部で蒸発させられた水蒸気や空気を外部に放出する際に、その臭いと塵埃を除去するものである。また、基台１２の下面の左右には、フォークリフト車のフォークを挿入し、仮設便所１１を移動させるための一対の差込み溝１７が設けてある。両差込み溝１７は下方に向けて『コ』の字形に開口してある。
【００４４】
〔仮設便所１１の内部における機器の配置〕
【００４５】
次に、図２は仮設便所１１からハウス１３及び外装を取り外し、屎尿処理装置１５と消臭・除塵機構１８の内部の構成を仮設便所１１の前側から見た正面図であり、図３は同様の屎尿処理装置１５と消臭・除塵機構１８の内部の構成を示す側面図であり、図４は同様の屎尿処理装置１５と消臭・除塵機構１８の内部の構成を示す後側から見た背面図である。各図では、屎尿処理装置１５と消臭・除塵機構１８の主要な機構の配置を示し、各機構を保持して固定するための枠組は鎖線で示してある。
【００４６】
この屎尿処理装置１５の底部には、平坦な形状をした支持基板３０が設けてあり、この支持基板３０により屎尿処理装置１５の機構は保持されている。この支持基板３０は薄肉鋼板によりモノコックとなるように組み立ててあり、屎尿処理装置１５の全体を支えることができるように頑丈に組み立ててあり、この支持基板３０の下面を基台１２の上面に載置してある。
【００４７】
図２は屎尿処理装置１５と消臭・除塵機構１８を正面から見たもので、支持基板３０の上面の左右にはコーナーチャンネル３１が垂直に立ててあり、コーナーチャンネル３１の上部には支持基板３０と平行となるように便器支持チャンネル３９が配置してあり、立体形に組み立ててある。この便器支持チャンネル３９により便器１６が保持されている。
【００４８】
このコーナーチャンネル３１（裏側には同様にコーナーチャンネル３２が設けてある。図４を参照。）により、屎尿処理装置１５と消臭・除塵機構１８を構成する各機構を保持して固定できるようになっている。前述の支持基板３０の上面で図２中の左側には加熱部２２を配置してあり、加熱部２２の上部には乾燥部２１が位置させてあり、乾燥部２１の底面が加熱部２２の上面に密着するように設置してある。この乾燥部２１の上部には箱状をした消臭手段としての消臭部２４が載置してあり、消臭部２４の上部には排気手段としての排気部２５が設けてある。そして、図２では、消臭部２４の手前側に塵埃回収部２６が配置してあり、消臭部２４と排気部２５と塵埃回収部２６とはパイプによって連通してある。
【００４９】
前述した乾燥部２１の側面（具体的な構造については後述する）には上方に向かって傾斜し、その上端を垂直に向けたややＬ字形をした導入パイプ７９が接続してある。この導入パイプ７９の上端にはゴム等で蛇腹状に形成したジョイント８０の下端が接続してあり、ジョイント８０の上端には前記便器１６の下端開口が接続してある。この構成により、便器１６に排泄された屎尿は、ジョイント８０、導入パイプ７９を通過して乾燥部２１の内部に流入させることができるようになっている。
【００５０】
図３は、屎尿処理装置１５における消臭・除塵機構１８の構成を側面から見たものである。支持基板３０の上面のやや中央にはコーナーチャンネル３１が垂直に立ててあり、支持基板３０の上面の後側（図３中で右側）にはコーナーチャンネル３２が垂直に立ててある。支持基板３０の上面コーナーチャンネル３１と３２の間には加熱部２２を固定してあり、加熱部２２の上方には屎尿を加熱して蒸発させるための乾燥部２１（容器としての機能を持つ）が設けてある。この加熱部２２の上面と乾燥部２１の底は密接する程度に接近させてある。この乾燥部２１の上部には、乾燥部２１と連通して蒸発させた屎尿の水蒸気と空気を通過させ、悪臭を取り除く箱状をした防臭手段としての消臭部２４が載置してある。さらに、消臭部２４の上部には、蒸発させた水蒸気や空気を外部に噴出させるための排気手段としての排気部２５が設けてある。消臭部２４は下方から上方に向けて垂直に立ち上がるように配置してある。
【００５１】
さらに、コーナーチャンネル３１の図中右側には箱状をした塵埃回収手段としての塵埃回収部２６が固定してあり、この塵埃回収部２６はコーナーチャンネル３１と消臭部２４の間に位置するように配置してある。この塵埃回収部２６は乾燥部２１内で屎尿を乾燥させた後に残った塵埃を空気より分離して回収するためのものである。この塵埃回収部２６の下端には可撓性のある柔軟なパイプで乾燥部２１と接続してあり、塵埃回収部２６の他端には可撓性のある柔軟なパイプで排気部２５の吸引側に接続してある。
【００５２】
次に、図４は屎尿処理装置１５と消臭・除塵機構１８の構成を背面からみたものである。支持基板３０の上面の図中右、中央、左にはそれぞれコーナーチャンネル３２が垂直に立ててあり、支持基板３０より上方の位置には左右のコーナーチャンネル３２間に便器支持チャンネル３９が架け渡してある。この便器支持チャンネル３９の左側の上部には便器１６が載置してある。支持基板３０の上面であって中央と左側のコーナーチャンネル３２の間に位置して加熱部２２が設けてあり、この加熱部２２の上方には乾燥部２１が設けてあり、乾燥部２１の底は加熱部２２の上面に接近して配置してある。そして、乾燥部２１の側面には上方に向かって傾斜し、その上端を垂直に向けたややＬ字形をした導入パイプ７９が接続してある。この導入パイプ７９の上端にはゴム等で蛇腹状に形成したジョイント８０の下端が接続してあり、ジョイント８０の上端には前記便器１６の下端開口が接続してある。この乾燥部２１の側面には、乾燥部２１と並列となるように駆動部２７が設けてある。
【００５３】
そして、乾燥部２１の上部の図４中左側には消臭部２４が配置してあり、消臭部２４の上部には排気部２５が配置してある。この消臭部２４の図４中右側には塵埃回収部２６が配置してある。
【００５４】
〔乾燥部２１、加熱部２２、駆動部２７を保持する構成〕
【００５５】
次に、図５、図６、図７、図８により乾燥部２１、加熱部２２、駆動部２７を保持するための機構について詳しく説明する。この図５、図７では乾燥部２１、加熱部２２、駆動部２７が同一の図面に図示してあり、図８では乾燥部２１と駆動部２７が同一の図面に図示してある。図５では、図１中の屎尿処理装置１５の内部を露出させ、その内部を見た状態を示す斜視図である。図６は共通する部材の保持板３５を取り外し、乾燥部２１を上方から見た状態の平面図である。図７は、図５中におけるＡーＡを矢視した断面図である。図８は、乾燥部２１と駆動部２７の主要な部材を取り外して上下に分離して示す分解斜視図である。
【００５６】
〔〔乾燥部２１、駆動部２７を保持する構成〕〕
【００５７】
図５で示すように、乾燥部２１、駆動部２７を保持する構成は、コーナーチャンネル３１、３２、横チャンネル３３、支持チャンネル３４及び保持板３５より構成されており、保持板３５は乾燥部２１、駆動部２７を保持すると同時に乾燥部２１の蓋の作用も行っている。これらの部材の組み立てる手順を説明すると、平板状をした支持基盤３０の中程の左右にはそれぞれコーナーチャンネル３１を垂直に固定し、支持基盤３０の奥側（図５中で右奥）の角隅部にはそれぞれコーナーチャンネル３２を垂直に固定してあり、４本のコーナーチャンネル３１、３２により支持基盤３０の四方に垂直の柱が建てられた構成となる。これらのコーナーチャンネル３１、３２はアルミニュームなどを材質とし、引き抜きなどにより形成されており、内部が中空の正方形をした断面形状となっている。
【００５８】
そして、これらのコーナーチャンネル３１、３２の内で、図５、図６に示すように、前後のコーナーチャンネル３１と３２の間には一対の横チャンネル３３が間隔を置いてそれぞれ水平に架け渡してあり、一対の横チャンネル３３と３３は支持基盤３０の上方で水平になるように位置させてある。そして、一対の横チャンネル３３と３３の間には２本の支持チャンネル３４、３４が間隔を置いて平行となるように架け渡してあり、これらの横チャンネル３３、３３、支持チャンネル３４、３４によって『ロ』の字形をした架台が形成されている。
【００５９】
これら一対の支持チャンネル３４、３４の上面にはやや厚肉の平板状をした保持板３５が載置してあり、保持板３５は両支持チャンネル３４、３４によって支持基盤３０より上方に水平に保持されていることになる。この保持板３５はネジなどによってその両側が支持チャンネル３４、３４に固定されており、この保持板３５によって乾燥部２１と駆動部２７が吊り下げられるようにして保持することができる。
【００６０】
〔〔加熱部２２を保持する構成〕〕
【００６１】
また、図５、図６、図７により加熱部２２を保持する構成を説明する。前述の支持基盤３０の上面であって、加熱部２２の下方（図５において、保持板３５の中心よりやや右側に偏位した位置）には４本の支持ボルト３７が垂直に立てられている。各支持ボルト３７は細長い長ネジによって形成されており、各支持ボルト３７は支持基盤３０上に正方形となるように配置されている。これらの支持ボルト３７の内で、対向する一対の支持ボルト３７の間には図７で示されるように一対の横アングル３８がナットによって取り付けてある。両横アングル３８は平行となるように保持されており、各横アングル３８はナットによってその高さを微妙に調整することができる。これらの横アングル３８、３８の上面の間に加熱部２２を載置して保持することができる。
【００６２】
〔乾燥部２１の構成〕
【００６３】
乾燥部２１の構成は図６、図７、図８によって示され、乾燥部２１の主要部材は、乾燥釜４１とフランジ４２と導入パイプ７９より構成されている。この乾燥部２１の主要部材である乾燥釜４１は、排泄された屎尿を加熱して蒸発・乾燥させることができるもので、乾燥釜４１はその底部を閉鎖し、上端を開口をした寸胴状の形状をしている。つまり、この乾燥釜４１はドラム缶の上半分を切断し、円筒形になった下半分と底部分だけを残した形状となっており、乾燥釜４１は耐熱性のあるステンレス、高張力鋼等の金属材料で形成してある。また、乾燥釜４１の上端にある開口の周縁には、平板のリング状をしたフランジ４２が接合してあり、乾燥釜４１の外周とフランジ４２の内周とは溶接等によって気密に連結してある。このため、乾燥釜４１とフランジ４２により帽子を逆さにしたような形状となっており、両者は一体に形成されている。そして、乾燥釜４１の側面のほぼ中央には屎尿を導入するための導入パイプ７９の下端が連結してある。この導入パイプ７９はその下半分が上方に向けて傾斜しており、上半分が垂直となった、やや『く』の字形をしたパイプである。この乾燥釜４１の縦断面の形状は図７で示されており、乾燥釜４１の底部の中央は周囲より上方に突起した突起４３が形成してある。この突起４３の頂上は乾燥釜４１の中心軸線と一致しており、乾燥釜４１の内底は突起４３の頂上から周囲に放射状に広がるなだらかな斜面を形成してある。そして、フランジ４２の周囲には、上下に開口した複数（図６中では８箇所）の通口４５が等間隔に貫通開口してある。
【００６４】
〔〔乾燥釜４１内に収納した蓄熱体５０〕〕
【００６５】
この乾燥釜４１内に屎尿を貯留し、乾燥釜４１を外部から加熱することにより屎尿を蒸発させることができる。しかし、乾燥釜４１を加熱するだけでは屎尿の蒸発は円滑に行われないため、乾燥釜４１に貯留した屎尿を攪拌して温度を均一に上昇させなければならない。このため、乾燥釜４１内には屎尿の加熱を補助するとともに、攪拌の作用を行わさせる複数個の蓄熱体５０が収納してある。この蓄熱体５０は球形状をしており、鉄、真鍮等の金属あるいは、焼結によって形成したセラミック等をその材質としている。これらの蓄熱体５０の直径は乾燥釜４１の内径の１／５〜１／１０程度の大きさに設定してある。
【００６６】
〔〔乾燥釜４１内で回転して蓄熱体５０を回転させる機構〕〕
【００６７】
この乾燥釜４１の内部空間内には保持板３５より吊り下げられ、乾燥釜４１の内部で回転する攪拌手段としての攪拌部２８が収納してある。この攪拌部２８は乾燥釜４１の底付近で回転し、前述の蓄熱体５０を押し廻すことができるもので、その具体的な構成については後で説明する。
【００６８】
〔保持板３５の形状と開口した各種の穴〕
【００６９】
次に、図８により保持板３５に開口した各種の穴の形状を説明する。この保持板３５は、それ自体は一枚のやや厚肉の平坦な金属板を材料としているが、この保持板３５に各種の機器を取り付けなければならないため、保持板３５を加工して付属品を取り付ける穴を開口してある。
【００７０】
先ず、保持板３５の左側（図８中で左奥側、図６中で左側）にはやや大きな四角形をしたモーター穴３６が開口してあり、保持板３５の右側（図８中で右手前側）の中央にはやや径大な軸穴５１を開口してある。つまり、保持板３５の長手方向の左右には、モーター穴３６と軸穴５１が配置されて開口されていることになる。そして、保持板３５の右側の広い面積の部分には、軸穴５１を中心として円形状に複数（図８中では８箇所）の通口４６が開口してあり、これらの通口４６は等間隔に配置され、前述したフランジ４２に開口した通口４５と同じ配置となっている。
【００７１】
この保持板３５にはそれぞれ固有の目的のために複数の穴が上下に貫通して開口してある。保持板３５の手前（図８において左手前側）には、前述の複数の通口４６で円形に囲まれた範囲の内側であって軸穴５１より離れた位置に、屎尿を蒸発させる際に酸化のための空気を供給するための空気穴５４が開口してある。また、保持板３５の奥側（図８において右奥側）には、複数の通口４６で囲まれた円形に囲まれた範囲の内側であって軸穴５１より離れた位置に、楕円形をした排気穴５２が開口してある。この排気穴５２は、乾燥釜４１で蒸発した屎尿の水蒸気と空気を排出するものである。
【００７２】
そして、この楕円形に開口された排気穴５２には、排気パイプ５６の下端開口が接続してあり、排気穴５２と排気パイプ５６の下端とは電気溶接等により気密に連通してある。この排気パイプ５６は側面から見てやや『く』の字形に曲げられて形成されており、排気パイプ５６の下端が排気穴５２の開口に固定された状態では、排気パイプ５６の上部はその軸線が垂直となり、かつ、その軸線は保持板３５の中心に位置させられている。また、保持板３５の上面であって、軸穴５１の周囲にはリング状をした軸支リング５８がその軸線を軸穴５１の軸線と一致させて固定してある。そして、軸支リング５８の周囲には細長い板状をした複数の支え板５９の先端が連結してあり、各支え板５９は軸支リング５８を中心にして放射状に配置されている。これらの支え板５９の下面は保持板３５の上面に電気溶接などで接合してあり、軸支リング５８に加えられた荷重をこれらの支え板５９で分散させ、保持板３５が変形しないように防止している。
【００７３】
〔軸受部２９の設置〕
【００７４】
このようにして、保持板３５の上面には軸支リング５８が固定されており、この軸支リング５８には軸受部２９が取り付けられている。この軸受部２９は、図５、図７、図９で示すように、その下半分は保持板３５の下面に露出しており、その上半分は保持板３５の上面に露出するように固定されている。この軸受部２９の下端には攪拌部２８の上部が吊り下げられており、この軸受部２９により攪拌部２８が水平方向に回転自在に保持されている。この軸受部２９の構成は後述する。
【００７５】
〔乾燥部２１を保持板３５に固定する機構〕
【００７６】
前述した乾燥部２１は保持板３５の下面に吊り下げられるように固定されている。この乾燥部２１を保持板３５に固定する構成を図７、図８により説明する。図８で示すように、乾燥部２１を構成するフランジ４２の上面を保持板３５の下面に対向させ、フランジ４２の上面を保持板３５の下面に密着させる（説明は前後するが、この時には、乾燥釜４１内にはすでに攪拌部２８と蓄熱体５０が収納してある）。そして、保持板３５に開口した通口４６とフランジ４２に開口した通口４５のそれぞれの位置を一致させる。これら複数の通口４６は複数の通口４５と同じ間隔、同じ円周上に配置させてあるため両者は全て一致する。
【００７７】
次いで、両通口４５、４６にボルト４７を挿入し、ボルト４７の下端からナットを締めつけ、保持板３５の下面にフランジ４２を固定する。こうして、フランジ４２と乾燥釜４１から成る乾燥部２１は保持板３５の下面に吊り下げられるようにして固定される。この乾燥部２１を保持板３５に固定することにより、保持板３５により乾燥釜４１の上端開口は外部から閉鎖されることになる。なお、保持板３５には軸穴５１、排気穴５２、空気穴５４が開口してあるため、保持板３５の下面に吊り下げられた乾燥釜４１の内部空間はこれらの軸穴５１（実際には軸受部２９のの中央の通気穴６７）、排気穴５２（実際には排気パイプ５６のパイプ穴）、空気穴５４によってのみ外部と連通することができる。
【００７８】
〔軸受部２９の具体的な構成〕
【００７９】
前述した軸受部２９の構成、及び軸支リング５８との関連は図１０、図１１によって示される。図１０は軸受部２９を構成する部材を分離して上下に分解して示したものであり、図１１は軸受部２９を軸支リング５８に取り付けた状態の縦断面図である。この軸受部２９は、その中心に軸支した駆動軸６６をその軸線を垂直に保持し、駆動軸６６を水平方向に回転自在に軸支でき、しかも、乾燥釜４１の内部と外部の間で空気を流動させることができる機能がある。
【００８０】
この軸受部２９の全体を支える外殻はやや円筒形をした外軸筒６１であり、この外軸筒６１は前述した軸支リング５８に挿入されるものである。この外軸筒６１の全体は円筒形をしており、その中心軸には上下方向に軸穴６４を貫通して開口してある。また、外軸筒６１の外周の中央には円盤形をした固定リング６２が固着してあり、外軸筒６１と固定リング６２は電気溶接等によって一体となるように形成するか、または無垢材を切削により切出して一体となるように形成してある。この固定リング６２は外軸筒６１の外周であって上下の長さの丁度中央に位置しており、固定リング６２は刀の鍔のように外軸筒６１と組み合わされている。この固定リング６２の周囲の複数箇所（図１０では４箇所）には、上下に貫通した挿通穴６３が開口してある。また、前述した軸支リング５８は図１０で示すように平坦なリング状をしており、この軸支リング５８の周囲の複数箇所（図１０では４箇所）にはネジ穴６０（内周にメネジが切削してある）が切削形成してある。
【００８１】
この外軸筒６１を軸支リング５８に取り付けるには、軸支リング５８の中央に形成してある開口に外軸筒６１の下半分を挿入し、固定リング６２の下面が軸支リング５８の上面に密着するように嵌め合わせる。そして、固定リング６２に形成した挿通穴６３と軸支リング５８に形成したネジ穴６０の位置を一致させ、挿通穴６３よりボルト６５を挿入し、このボルト６５をネジ穴６０にねじ込む。このボルト６５を締め付けることにより、固定リング６２は軸支リング５８に固定され、外軸筒６１の全体は軸支リング５８に固定させられる。外軸筒６１がボルト６５により軸支リング５８に固定させられた状態が図１１で示される。
【００８２】
この外軸筒６１で回転自在に軸支されるのは駆動軸６６である。この駆動軸６６は、図１０で示すように、その中心軸に通気穴６７を上下方向に貫通開口したパイプ状をしており、駆動軸６６の下端にはリング形をした連結板６８を一体となるように固着してある。この連結板６８はその中心に開口を形成したリング状をしており、駆動軸６６の下端で開口した通気穴６７の開口軸と連結板６８の中心に開口した開口軸とを一致させ、駆動軸６６の下端と連結板６８の上面とを電気溶接等により一体となるように結合してある。この連結板６８の周囲の複数箇所（図１０では４箇所）には挿通穴６９が上下方向に貫通開口してある。また、駆動軸６６の上部の外周にはネジ山７０が形成してあり、駆動軸６６の外側面の上端より下方に向けてこのネジ山７０と交差するようにして縦方向にキー溝７１が切欠き形成してある。さらに、駆動軸６６の外周であって連結板６８より少し上方の位置から上側はその外径が径小となっていて、その外径の異なる部分は段部７２となっている。
【００８３】
〔〔駆動軸６６の保持機構〕〕
【００８４】
この駆動軸６６を外軸筒６１により回転自在に保持する機構は、図１０で示すようにベアリング７４（ユニットとなっていて、ボールベアリングが内部に収納してある）、スペーサー７５、押え板７６、ベアリング８１（ユニットとなっていて、ボールベアリングが内部に収納してある）、スペーサー８２、押え板８４から構成されている。このベアリング７４はリング状をしており、内蔵したボールベアリングにより内外周のリングが自由に回転することができ、このベアリング７４を軸穴６４の下端開口より挿入し、軸穴６４の途中にある段部にその外周を係止させる。さらに、軸穴６４の下端開口よりリング状をしたスペーサー７５を挿入し、スペーサー７５の上面をベアリング７４の下面に密着させる。次いで、円盤形をした押え板７６を外軸筒６１の下面に密着させ、図１１で示すように押え板７６をネジ７７で外軸筒６１に固定する。
【００８５】
次に、駆動軸６６に形成した軸穴６４の上端開口よりベアリング８１を挿入し（このベアリング８１もリング状をしており、内蔵したボールベアリングにより内外周のリングが自由に回転することができる）、軸穴６４の途中にある段部にその外周を係止させる。さらに、軸穴６４の上端開口よりスペーサー８２を挿入し、スペーサー８２の下面をベアリング８１の上面に密着させる。次いで、円盤形をした押え板８４を外軸筒６１の上面に密着させ、図１１で示すように押え板８４をネジ８９で外軸筒６１に固定する。このようにして、軸受けの機構を組み立てることができる。
【００８６】
このように組み立てられたベアリング７４、スペーサー７５、押え板７６の中央開口の下方より駆動軸６６の上端を挿入し、さらに、駆動軸６６の上端をベアリング８１、スペーサー８２、押え板８４のそれぞれの開口を通過させ、駆動軸６６の上部を押え板８４の上面より突出させるまで挿通する。すると、図１１のように、段部７２がベアリング７４の下面と接触し、駆動軸６６はそれ以上は挿入されなくなる。次いで、駆動軸６６の上端よりパイプ状をした離間筒８３を挿通し、この離間筒８３をスペーサー８２、押え板８４の開口より挿入し、離間筒８３の下端がベアリング８１の上面に達するまで挿入する。この離間筒８３は薄肉のパイプ状をしており、その内径は駆動軸６６の外径とほぼ等しくなるように設定してあり、その長さは離間筒８３の下端がベアリング８１の上面に接した時に押え板８４の上面より高い位置になるように設定してある。この後、駆動軸６６の上端よりプーリー８５を挿入し、プーリー８５の下面を離間筒８３の上端に接触させ、駆動軸６６のキー溝７１とプーリー８５のキー溝８８に跨がるようにキー８７を差し込む。このキー８７により、駆動軸６６とプーリー８５がその円周方向に回転しないように固定することができる。
【００８７】
さらに、駆動軸６６の上端よりその内周にメネジを形成したプーリー押え８６を挿通し、プーリー押え８６をネジ山７０にねじ込み、プーリー８５、離間筒８３を押さえつける。このプーリー押え８６をねじ込むことにより、プーリー８５、離間筒８３が押し下げられるが、相対的に駆動軸６６は引き上げられることになる。この駆動軸６６が引き上げらると、段部７２がベアリング７４に係合してそれ以上は駆動軸６６は引き上げられず、駆動軸６６は上下のベアリング７４、８１によって挟持されたことになる。このようにして駆動軸６６は一対のベアリング７４、８１で保持され、その中心軸を垂直に維持して水平方向に回転自在に軸支されることになる。
【００８８】
〔攪拌部２８の構成〕
【００８９】
次に、前述した攪拌部２８の構成を図１２により説明する。なお、攪拌部２８の構成は、図６、図７、図８、図９にも視線を変えて図示してあるため、これらの図も参照されたい。この図１２では攪拌部２８の外観を示しており、この図１２の上半分には駆動軸６６も示してあり、駆動軸６６の下端には攪拌部２８を吊り下げるようにして連結してある。そして、駆動軸６６によって吊り下げられた攪拌部２８は乾燥釜４１の内部空間で回転自在に保持されている。
【００９０】
この攪拌部２８は駆動軸６６の下部に保持されているもので、攪拌部２８の上部に設けた連結板９５により吊り下げられている。この連結板９５は、その中央に開口を形成したリング状をしており、その内外径は前述した連結板６８とほぼ同じ形状であり、この連結板９５の周囲の複数箇所（図１２では４箇所）にはネジ穴９６を上下方向に貫通開口してある。この連結板９５の中央には開口が形成してあり、この開口には吊り下げパイプ９７が嵌め込んで固定してある。この吊り下げパイプ９７は、上下の長さが短いパイプ状をしており、その下端は斜めに切断されている。
【００９１】
そして、吊り下げパイプ９７の斜めに切断された下端開口には斜向パイプ９８の上端が電気溶接等により気密に連結してあり、吊り下げパイプ９７と斜向パイプ９８とはその内部で空気が流れるように接続してある。この斜向パイプ９８は、その中心が空洞で上下端が開口したパイプ状をしており、斜向パイプ９８の上端は吊り下げパイプ９７の下端とは逆方向に斜めに切断してある。このため、吊り下げパイプ９７の下端に斜向パイプ９８を溶接などにより連結すると、吊り下げパイプ９７の軸線（この軸線は垂直に保持されている）に対して斜向パイプ９８の軸線は斜め下方を向くように傾斜させられている（つまり、図７で示すように吊り下げパイプ９７と斜向パイプ９８は『く』の字形に折れ曲げて構成してある）。
【００９２】
この斜向パイプ９８の下端開口は斜めに切断されており、この下端開口の切断方向は斜向パイプ９８の上端が切断された方向と同じ向きである。そして、この斜向パイプ９８の下端開口にはパイプ状をした吸引パイプ９９の上端が電気溶接等により気密に連結してあり、斜向パイプ９８と吸引パイプ９９とはその内部で空気が流れるように接続してある。この吸引パイプ９９は、その中心が空洞で上下端が開口したパイプ状をしており、吸引パイプ９９の上端は斜向パイプ９８の下端とは逆方向に斜めに切断してある。このため、斜向パイプ９８の下端に吸引パイプ９９を溶接などにより連結すると、斜向パイプ９８の軸線に対して吸引パイプ９９の軸線は角度を持って結合されたことになり、図７で示すように斜向パイプ９８と吸引パイプ９９とは『逆く』の字形に折れ曲がって連結されることになる。
【００９３】
このように、吊り下げパイプ９７と斜向パイプ９８で一旦斜めに折り曲げられ、次いで斜向パイプ９８と吸引パイプ９９が逆方向に折り曲げられて、吊り下げパイプ９７と斜向パイプ９８と吸引パイプ９９により一本のクランク体９２が形成されている。このようにクランク体９２では、図７で示すように吸引パイプ９９の軸線は吊り下げパイプ９７の軸線と平行となり、かつ垂直に保持されることになる。そして、各吊り下げパイプ９７、斜向パイプ９８、吸引パイプ９９の接合面は気密に溶接されているため、クランク体９２は一本のパイプと同じ作用を行うことになり、吊り下げパイプ９７の上端開口より吸引パイプ９９の下端開口まで漏れることなく空気を流動させることができる。
【００９４】
前述の吸引パイプ９９にはやや三角形状（図６で示されるように、乾燥釜４１を向いた方向（図６で右側）を頂点として左右を直線状に形成し、底辺は円弧形となるように内側に削られている）をした一対の取り付け板１００と１０１を挿通してあり、取り付け板１００は吸引パイプ９９の外周の上部に電気溶接等で固着してあり、取り付け板１０１は吸引パイプ９９の外周の下部に電気溶接等で固着してある。これら一対の取り付け板１００と１０１は上下に間隔を置いて平行に配置してある。
【００９５】
そして、取り付け板１００と１０１の各背面（二等辺三角形の斜線部分）である直線部分の間にはそれぞれ長方形をした側板１０２、１０３が固着してあり、取り付け板１００、１０１、側板１０２、１０３で立体形の構造物が形成されている。両取り付け板１００と１０１の辺の内で乾燥釜４１の中心に向けられた辺は円弧形に凹んでおり、この円弧形をした辺には円弧を描くようにして湾曲させた攪拌板１０４の裏面を密着させ、攪拌板１０４と取り付け板１００、１０１及び側板１０２、１０３のそれぞれの接触面を電気溶接等で気密に固着してある。さらに、攪拌板１０４の半円形となった下端には、薄肉鋼板をテーパー状に曲げて形成したスカート板１０５の上端を固着してあり、攪拌板１０４、スカート板１０５によってブルドーザーの排土板に似た形状に組み立ててある。この攪拌板１０４は図６で示すように、その曲面率は乾燥釜４１の内側の曲面率よりも大きく設定してあり、攪拌板１０４の両端の長さは乾燥釜４１の内径よりも少し小さいくなる程度に設定してある。そして、攪拌板１０４の両端を結ぶ直線は図６で示すように、乾燥釜４１の中心付近を通過しており、攪拌板１０４、スカート板１０５で乾燥釜４１の底部が二分されているように構成してある。このようにして、攪拌部２８が構成されている。
【００９６】
〔〔攪拌部２８を軸受部２９に連結する構成〕〕
【００９７】
このようにして構成された攪拌部２８は軸受部２９の下部に吊り下げられるようにして連結される。この組み合わせにおいては、連結板９５の上面を連結板６８の下面に密着させ、挿通穴６９とネジ穴９６の位置を一致させ、各挿通穴６９よりボルト９４を挿入してこのボルト９４をネジ穴９６にねじ込む。このボルト９４をねじ込むと、両連結板６８と９５が密着して固定され、軸受部２９の下部に攪拌部２８の上部が連結される。この結合において、吊り下げパイプ９７の開口と駆動軸６６にある通気穴６７とは外部とは気密に、上下に空気の流動が行えるように一体となって連通される。すなわち、吸引パイプ９９の下端の開口より通気穴６７の上端の開口まで一連となった空気の流路が形成され、空気はこの流路を流動することができる。
【００９８】
そして、攪拌部２８が軸受部２９に吊り下げられて連結された状態は図６、図７、図９で示されている。この吊り下げた平面の状態は図６で示され、攪拌板１０４の両側は乾燥釜４１の内壁より少し間隔をおいて接触しない位置にあり、半円形となった攪拌板１０４の中央は乾燥釜４１の内径の１／４程度の位置にある。また、攪拌部２８が吊り下げた状態を側面から見ると図７、図９により示され、スカート板１０５の下端は乾燥釜４１の底面より少し上方に位置し、スカート板１０５が乾燥釜４１の底面に接触しないように設定してある。また、吸引パイプ９９は図７、図９で示すように、その軸線を垂直に位置させてあり、吸引パイプ９９の下端開口は乾燥釜４１の底面より少し上方に位置している。そして、攪拌部２８が軸受部２９に吊り下げられると、図７で示すように吊り下げパイプ９７に斜向パイプ９８が斜め下方に傾斜して位置し、斜向パイプ９８の下端は乾燥釜４１の内壁に接近し、斜向パイプ９８の下端に連結した吸引パイプ９９は乾燥釜４１の内壁に接近した位置にある。このため、駆動軸６６が回転すると吸引パイプ９９は乾燥釜４１の内部空間で円形に掻き混ぜるように回転することになる。
【００９９】
〔駆動部２７の構成〕
【０１００】
次に、図５、図７、図８により駆動部２７の構成を説明する。この駆動部２７の主要部材は円筒形をしたモーター１０８によって構成されており、このモーター１０８の上部には回転数を減速して出力する長方体形をしたギアボックス１０９が連結してある。このギアボックス１０９の上面の中央には、減速された回転力を出力するための出力軸１１０が垂直に突出させてある。また、前述のように、保持板３５の左側中央（図８を参照）には四角いモーター穴３６が貫通開口してあり、このモーター穴３６を跨ぐようにして薄肉板金を折り曲げて形成したモーター固定具１１１がネジによって固定してある。このモーター固定具１１１は、その長さがモーター穴３６の開口幅より少し長く、その断面形状は『コ』の字形となっていて、その両端を水平に延長した足部分を有しており、モーター固定具１１１の中央には円形の開口１１２を形成してある。このモーター固定具１１１の両端に形成した足部分を保持板３５の上面にネジで固定すると、モーター固定具１１１はモーター穴３６を塞ぐように配置される。そして、出力軸１１０を開口１１２の下方より挿通し、ギアボックス１０９の上面を保持板３５の下面に密着させ、ギアボックス１０９とモーター固定具１１１をネジにより固定する。こうして、モーター１０８、ギアボックス１０９をモーター固定具１１１に固定することができる。
【０１０１】
このモーター固定具１１１の上面より突出した出力軸１１０の上端にはプーリー１１３を固着し、このプーリー１１３の高さ位置を駆動軸６６に固着したプーリー８５と同じ高さに設定する（図７を参照）。そして、両プーリー８５と１１３の外周の間にはゴム等で形成したベルト１１４を掛け廻しておく（図５、図７を参照）。なお、図５、図８では図示していないが、図７で示されるように、保持板３５の上面であってモーター穴３６の開口に接近した位置には、ネジ板１１５を突起させてあり、このネジ板１１５には水平方向に移動できるテンションボルト１１６をねじ込んである。このテンションボルト１１６の先端はモーター固定具１１１の側面に接触させ、このテンションボルト１１６を廻すことによりモーター固定具１１１を図７中で水平方向に左右に移動させることができる。このテンションボルト１１６によりモーター固定具１１１を移動させ、プーリー８５と１１３の中心軸線の間隔を変動させることができ、ベルト１１４のテンションを微調整することができ、モーター１０８からの回転力を円滑に駆動軸６６へ伝えることができる。
【０１０２】
〔加熱部２２の構成〕
【０１０３】
前述した加熱部２２の外形は図２、図３、図４、図５、図７で示されている。この加熱部２２の外形は偏平な箱状をしており、図７で示すように支持ボルト３７によって保持された水平な一対の横アングル３８の上面に載置してある。この加熱部２２はその内部に収納した電磁加熱手段としての高周波コイル１１８によって乾燥釜４１と蓄熱体５０に高周波の電磁波を交拌させ、乾燥釜４１と蓄熱体５０に渦電流損を発生させることで発熱させることができる。この加熱部２２は電磁波を発生させるためにユニット化されて組み立てられており、加熱部２２の内部構造を図１３とともに詳しく説明する。
【０１０４】
この加熱部２２の外殻は内部が空洞の箱状をしたコイル容器１１９で構成され、このコイル容器１１９は上方が開口した箱状の箱体１２０と、この箱体１２０の上部開口を閉鎖する蓋板１２１から構成されている。この箱体１２０は薄肉の金属板を材料としており、底部分は正方形であり、この底部分の四辺をそれぞれ立ち上げることで升状に形成してある。また、蓋板１２１は薄肉の金属板を正方形に切断したもので、その平面形状は箱体１２０の開口部分よりも若干大きくなるように設定してある。このため、箱体１２０の上部開口に蓋板１２１を被せると、蓋板１２１の四隅が水平に突出し、コイル容器１１９の上部は左右に張り出すことになる。この箱体１２０の開口部に蓋板１２１の下面を密着させ、両者をネジ止めや電気溶接で結合することでコイル容器１１９が組み立てられ、コイル容器１１９は内部が空洞であって外部からは閉鎖された構造となっている。
【０１０５】
このコイル容器１１９内の空洞となった内部の中央には、図１３で示すように電磁波を発生させるための偏平の円筒形状をした高周波コイル１１８が収納してあり、この高周波コイル１１８の外周とコイル容器１１９の内側面とが接触しないように多少の隙間を空けて固定してある。そして、この高周波コイル１１８には電力供給用の一対の電力線１２２、１２２が接続してあり、両電力線１２２、１２２の終端は箱体１２０の側面（図１３において右手前側）に絶縁して固定してある一対の電極１２３、１２３にそれぞれ電気的に接続してある。
【０１０６】
〔消臭・除塵機構１８の構成〕
【０１０７】
次に、図１４により消臭・除塵機構１８を支持している機構を省略し、機構の要部の配置と接続状態を示したものである。消臭・除塵機構１８を構成する消臭部２４と塵埃回収部２６は保持板３５の上方に位置している。この消臭部２４は円筒形をしていて、その軸線が垂直となるように配置してある。前述の排気パイプ５６には開閉弁１２４を介して蒸発パイプ１６４が接続してあり、蒸発パイプ１６４は垂直に延長し、その上端は消臭部２４の上部側面に接続してある。この消臭部２４の下部側面には放出パイプ１６５が接続してあり、放出パイプ１６５は上方に延長していて、放出パイプ１６５の上端は排気部２５に接続してある。また、空気穴５４には給気パイプ１６２の先端が接続してあり、給気パイプ１６２の後端には三方に切換えることができる三方切換弁１６１が接続してある。この三方切換弁１６１の一方の端部には空気パイプ１５０が接続してあり、空気パイプ１５０の終端は排気部２５に接続してある。また、三方切換弁１６１の他方の端部には送気パイプ１２５が接続してあり、送気パイプ１２５には蒸発パイプ１６４の側面に接続してある。この三方切換弁１６１は空気パイプ１５０からの空気流を切換えるものであり、空気パイプ１５０を送気パイプ１２５か給気パイプ１６２の何れか一方に連通させるものである。
【０１０８】
前述の外軸筒６１から回転自在に突出している駆動軸６６の上端開口には開閉弁１７１が接続してあり、この開閉弁１７１は屎尿処理装置１５の固定部分に取り付けられており（例えば、図５で示したコーナーチャンネル３１にアダプターを介して固定させたり、保持板３５に立てたアダプターを介して固定してある）、開閉弁１７１自体は水平方向に回転しないように保持されている。このため、駆動軸６６が回転しても開閉弁１７１は回転せずにその位置に維持され、駆動軸６６の上端開口と開閉弁１７１とは気密に連通していて、駆動軸６６の通気穴６７は開閉弁１７１と連通し、外部に空気を漏らすことがないようにして連通している。開閉弁１７１には空気を流動させる吸塵パイプ１７２が接続してあり、吸塵パイプ１７２には立方形をした塵埃回収部２６の上面に接続してある。そして、塵埃回収部２６の下部にある排気機構の側面には送気パイプ１７７の一端が接続してあり、送気パイプ１７７の他端は放出パイプ１６５の途中の側面に接続してある。
【０１０９】
〔消臭部２４の構成〕
【０１１０】
次に、図１５、図１６は前述した消臭部２４の内部の構成を詳しく説明するものである。図１５は消臭部２４を縦方向に切断して、その構成を側面より示した断面図であり、図１６は消臭部２４を構成する部材を分離して組み立てる前の状態を示す分解斜視図である。
【０１１１】
この消臭部２４の全体の外観は円筒形であり、その内部には二重の空間を形成した構造となっていて、外部からは気密に閉鎖されている。消臭部２４の外殼は円筒形をした外筒１２７より成り、薄肉の鋼板などで形成してあり、その内部は中空となっていて空気が流動できるようになっている。この外筒１２７の下部側面には、外筒１２７の内部と連通する排気ジョイント１３０が直角に接続してあり、外筒１２７の上部側面には外筒１２７の内部と連通する吸気ジョイント１３１が直角に接続してある。排気ジョイント１３０と吸気ジョイント１３１は共に円筒形であり、その外径は外筒１２７の外径よりも小さくなるように設定してある。この外筒１２７の底部の開口には薄肉の底板１２８が嵌め合わせてあり、底板１２８はその外径を外筒１２７の内径と同一とし、その中央には円形の開口を形成したリング状をしている。底板１２８の外周と外筒１２７の内周とは気密に溶接などで連結してある。
【０１１２】
この底板１２８の中央の開口には、その下方から内筒１２９が挿入してあり、内筒１２９の上端は吸気ジョイント１３１の下部に位置するまで延長し、内筒１２９の下端は底板１２８の下面より少し突出する程度の長さに設定してある。この内筒１２９は、薄肉の鋼板で内部中空の円筒形に形成してあり、その上部は閉鎖して下方を開口した試験管のような形状にしてあり、内筒１２９の外径は底板１２８の中央開口の内径とほぼ同一に設定してある。そして、底板１２８の開口と内筒１２９との外周とを溶接などにより気密に接続してあり、この構成のため、外筒１２７の内部空間は内筒１２９によって仕切られ、ドーナツ状をした密閉された空間が形成されたことになる。つまり、消臭部２４は円筒形をした外筒１２７と円筒形をした内筒１２９によってその骨格が形成され、内部がリング状をした空間と内筒１２９の内部空間とに分離された二つの部屋を持つ密閉された構造となっている。
【０１１３】
そして、外筒１２７の内周と内筒１２９の外周との間にはリング状をした網底板１３２が挿入してあり、この網底板１３２は排気ジョイント１３０の開口上部よりも少し高い位置に設置し、外筒１２７の内周と内筒１２９の外周とにそれぞれ溶接して固定してある。この網底板１３２はステンレスの細い線を織って形成したもので、空気を上下に流動させることができる構造となっている。この外筒１２７の内周と内筒１２９の外周とで形成されたドーナツ状の空間には、白金やプラチナなどを粒子状に加工した触媒粒１３３を充填してあり、触媒粒１３３は網底板１３２によって支えられている。充填された触媒粒１３３の上端は内筒１２９に上端より少し下方に位置するまで詰め込まれている。さらに、外筒１２７の内周と内筒１２９の外周とで形成されたドーナツ状の空間であって、この触媒粒１３３の上部には、細い針金を丸めることで形成した金属製のフィルター１３４を封入してある。このフィルター１３４によって触媒粒１３３の上面が押さえられていて、触媒粒１３３が移動したり、外部に流出するのを防止している。
【０１１４】
前述した外筒１２７の上端開口の外周には、外方に向かって突起したフランジ１３５が形成してあり、外筒１２７の上端開口には円盤形をした上蓋板１３６を密着してある。この上蓋板１３６の外径はフランジ１３５の外径とほぼ同一に設定してあり、両者を密着させた状態でフランジ１３５と上蓋板１３６の外周には内周面に溝を形成した半円形をした一対のクランプバンド１３７が左右から噛み合わせてある。このクランプバンド１３７によって、上蓋板１３６はフランジ１３５に連結され、かつ、上蓋板１３６により外筒１２７の上端開口は気密に閉鎖されている。
【０１１５】
前述した内筒１２９の下端開口の外周には、外方に向かって突出したフランジ１４０が形成してあり、内筒１２９の下端開口には円盤形をした底蓋板１３８を密着させてある。この底蓋板１３８の外径はフランジ１４０の外径とほぼ同一に形成してあり、両者を密着させたなら、内周面に溝を形成した半月形をした一対のクランプバンド１４１を左右から噛み合わせてある。このクランプバンド１４１によって、底蓋板１３８はフランジ１４０に連結され、かつ、底蓋板１３８により内筒１２９の下端開口は気密に閉鎖されている。
【０１１６】
また、内筒１２９の内部空間には螺旋状をしたヒーター１３９が挿入してあり、このヒーター１３９は通電することにより発熱するものであり、その全長は触媒粒１３３を詰め込んだ高さよりも少し長い程度に設定してある。ヒーター１３９のそれぞれの終端は前記底蓋板１３８を通り抜けて下方に延長させ、底蓋板１３８の下面ではヒーター１３９に電力を送る電力線１４２となっている。そして、ヒーター１３９の下部中央には、このヒーター１３９の温度を常時検知するための温度センサー１４３が挿入してあり、この温度センサー１４３から引き出されて信号を出力するセンサーケーブル１４４は底蓋板１３８を下方に突き抜けている。これらの底蓋板１３８、ヒーター１３９、温度センサー１４３は予めユニットとして組み立ててあり、ヒーター１３９を内筒１２９に挿入すると同時に底蓋板１３８は内筒１２９の下部開口と密着できるようになっている。
【０１１７】
このように構成することで、外筒１２７の内部はドーナツ状をした空間と内筒１２９の内部の空間とに二分され、外筒１２７の内部空間と内筒１２９の外周との間に形成されたドーナツ状をした空間は外部から遮蔽されている。このため、吸気ジョイント１３１から導入された水蒸気は外筒１２７の上部空間に流入し、フィルター１３４を通過して外筒１２７と内筒１２９の間に形成されたドーナツ状の空間を流動する。この空間を流動する際に、水蒸気と空気は触媒粒１３３の表面に接触し、酸化・還元の作用を受ける。さらに、水蒸気と空気は網底板１３２を通過し、外筒１２７の下部空間に移動し、外筒１２７の側面に連結した排気ジョイント１３０を流動して外部に放出させられる。
【０１１８】
〔排気部２５の構成〕
【０１１９】
次に、図１７において排気部２５の構成を説明する。図１７は排気部２５の外観を示す斜視図である。
【０１２０】
この排気部２５は、大きく分けて送風機１４５、エゼクトパイプ１４７、中子パイプ１４８の部材より構成されている。この送風機１４５は、その内部にモーターとファンを内蔵し、その側面に開口した吸気パイプ１４６より空気をＤ方向に吸引して後方（図１７で右手前方向）に排出できるものであり、その排気側にはエゼクトパイプ１４７が連結してある。このエゼクトパイプ１４７はやや太径の細長いパイプ状をしており、送風機１４５から送られた空気をその内部で流動させ、その終端開口より図１７でＥ方向に空気を排出させることができるものである。
【０１２１】
そして、中子パイプ１４８はその両端に開口したそれぞれの開口軸線が直角（９０度）になるように円弧状に曲げられており、中子パイプ１４８の下部はエゼクトパイプ１４７の長さ方向の中間であってその下面に固着してある。この中子パイプ１４８をエゼクトパイプ１４７に固着する際に、中子パイプ１４８の一方の開口端（図１７において下側）はエゼクトパイプ１４７の下面より少し下方に突出してあり、この一方の開口の軸線はエゼクトパイプ１４７の軸線と直角となるように配置してある。そして、中子パイプ１４８の他方の開口端（以下、放出口１４９と称する）はエゼクトパイプ１４７の内部空間に位置させてあり、この放出口１４９の軸線はエゼクトパイプ１４７の軸線と一致させてあり、エゼクトパイプ１４７の内周壁と放出口１４９の外周との間にはドーナツ状をした空間を形成してある。さらに、放出口１４９の開口の方向はエゼクトパイプ１４７内での空気の流れの下流に向けて設定してある。このエゼクトパイプ１４７の下流側にはその下面から細径の空気パイプ１５０が挿入してあり、この空気パイプ１５０の上端はエゼクトパイプ１４７の内部で曲げられていて、その開口端である空気を流入させる取入口１５１を送風機１４５の方向に向けてある。
【０１２２】
このように構成することにより、中子パイプ１４８とエゼクトパイプ１４７は図１７で示すように組み立てられている。この構成において、送風機１４５から圧送される空気はエゼクトパイプ１４７の一方の開口（図１７において左奥側）より他方の開口（図１７において右手前側）に流動し、空気は他方の開口端よりＥ方向に放出されることになる。このように空気がエゼクトパイプ１４７内をＥ方向に流動すると、中子パイプ１４８の放出口１４９の周囲を高速で通過することになり、放出口１４９の開口付近では空気の負圧が発生することになる。この負圧により、放出口１４９の内部にある空気は図１７中でＪ方向に吸引され、中子パイプ１４８ではその下部開口より放出口１４９の方向に空気が流動することになる。従って、エゼクトパイプ１４７内を空気がＥ方向に流動することで、消臭部２４の内部の空気は吸引されて中子パイプ１４８を通過し、Ｊ方向へ流動することになる。この一連の動作により、消臭部２４の下部空間にある空気が仮設便所１１の外部に排出される。同時に、エゼクトパイプ１４７の内部を流動する空気の一部は取入口１５１から取り入れられ、空気パイプ１５０に流入させられることになる。
【０１２３】
〔塵埃回収部２６の構成〕
【０１２４】
次に、図１８により塵埃回収部２６の構成を説明する。この塵埃回収部２６は、一般に使用されている電気掃除機と似た構造となっており、空気中から塵埃を捕獲し、清浄な空気のみを外部に流出させることができるものである。
【０１２５】
この塵埃回収部２６の外殼は、回収箱１５２と側蓋板１５３から構成され、両者により内部が空洞の立体形をした構造物が形成されている。この回収箱１５２は薄肉鋼板を折り曲げてその一側面（図１８において左手前側）を開口させた形状であり、一側面が大きく開口しているが、上下面と周囲三方の面はそれぞれ平板で閉鎖された箱状をしている。また、側蓋板１５３は、薄肉鋼板を折り曲げて形成し、周囲の縁を小さく折り曲げらた浅い蓋状をしており、回収箱１５２の開口している側面とほぼ同じ形状となっている。この側蓋板１５３は、その下辺を回収箱１５２の側面開口の下辺とピンで回動自在に連結されており、側蓋板１５３はピンを中心として前後に回動することができるように連結されている。図１８においては、側蓋板１５３を回収箱１５２より左手前に引いて回収箱１５２の側面開口を開いた状態を示しており、図１８中で側蓋板１５３をＨ方向に回動すると側蓋板１５３を回収箱１５２の側面に密着させることができ、回収箱１５２と側蓋板１５３を嵌め合わせることにより外部から密閉した外殼を組み立てることができるようになっている。なお、この側蓋板１５３はピンを中心として回動させることができ、塵埃回収部２６の保守や点検の際に、回収箱１５２の側面を外部に露出させる作用を行うことができる。
【０１２６】
この回収箱１５２の上面は平坦な正方形をしており、この回収箱１５２の上面中央にはその内部と連通する導入パイプ１５４が固着してある。そして、この回収箱１５２の内部空間であってその上部には、布や紙などの通気性のある材料でやや立体形に縫い合わせられた袋状のゴミ袋１５５が収納してある。このゴミ袋１５５は外部から閉鎖された形状をしており、その上部には導入パイプ１５４の下端を連結し、導入パイプ１５４とゴミ袋１５５の内部空間を連通させてある。このゴミ袋１５５は、布や紙などの目の荒い材料で形成されており、その膜面を介して空気を流動させることができるが、塵埃をその表面で捕獲することができる機能を持っている。このため、導入パイプ１５４からゴミ袋１５５の内部に流入した空気は、ゴミ袋１５５の膜面を通過することになるが、空気に混ざっている塵埃はゴミ袋１５５の膜面で捕獲され、清浄となった空気のみが回収箱１５２の内部空間に流出することになる。
【０１２７】
また、回収箱１５２の内部であってその底面には細かい目の金網等で形成されたフィルター１５６が設置してあり、このフィルター１５６では比較的形状の大きいゴミや塵埃を回収することができる。さらに、回収箱１５２の下面の中央にはファン１７４を内蔵し、回収箱１５２の内部にある空気を外部に吸引する吸引機１５７が固着してある。この吸引機１５７の外側面には、回収箱１５２から吸引した空気を図１７中でＧ方向に排出するための排出パイプ１５８が接続してあり、吸引機１５７の下面には吸引機１５７内のファン１７４を駆動するためのモーター１５９が固着してある。
【０１２８】
〔屎尿処理装置１５における配管の接続状況〕
【０１２９】
次に、図１９により本実施の形態を応用した仮設便所１１の屎尿処理装置１５を構成する各機構を結び、空気、屎尿を流動させるための配管の接続状況を説明する。この図１９は便器１６から乾燥釜４１へ屎尿を流動させるための配管、乾燥釜４１で蒸発した水蒸気を外部に放出するための配管、乾燥釜４１の内部に残った塵埃を吸引して清掃するための配管、触媒体１４０を清掃するための配管を模示的に図示したものである。
【０１３０】
前述した便器１６の下端には、便器１６に排泄された屎尿を流下させるジョイント８０が接続してあり、このジョイント８０の下端には導入パイプ７９が接続してある（実際には、この導入パイプ７９の上端には屎尿の流動を制御する開閉弁が介在させてある）。
【０１３１】
次に、保持板３５に回転自在に保持されている駆動軸６６の上端開口には開閉弁１７１が接続してあり、この開閉弁１７１は屎尿処理装置１５の固定部分に取り付けられており（例えば、図５で示したコーナーチャンネル３１にアダプターを介して固定させたり、保持板３５に立てたアダプターを介して固定してある）、開閉弁１７１自体は水平方向に回転しないように保持されている。このため、駆動軸６６が回転しても開閉弁１７１は回転せずにその位置に維持され、駆動軸６６の上端開口と開閉弁１７１とは気密に連通していて、図１０、図１１で示す駆動軸６６の通気穴６７は開閉弁１７１と連通し、外部に空気を漏らすことがないようにして連通している。
【０１３２】
この開閉弁１７１には空気を流動させる吸塵パイプ１７２が接続してあり、この吸塵パイプ１７２の終端には塵埃回収部２６の上部に固定してある導入パイプ１５４を接続してある。また、塵埃回収部２６を構成する吸引機１５７の内部には、モーター１５９によって回転させられるファン１７４が収納してあり、吸引機１５７の側面に設けた排出パイプ１５８の開口端には塵埃を除いた清浄な空気を流動させる送気パイプ１７５が接続してある。この送気パイプ１７５の終端には逆止弁１７６の一端が接続してあり、逆止弁１７６の他端には送気パイプ１７７が接続してあり、送気パイプ１７７の終端は中子パイプ１４８の下端に接続してある（なお、逆止弁１７６は空気の流通を一方向のみに規制するものであり、送気パイプ１７５から送気パイプ１７７への空気の流動を可能とするが、送気パイプ１７７から送気パイプ１７５への空気の流動を阻止することができる機能を持っている）。
【０１３３】
〔温度センサー１８０の構成〕
【０１３４】
また、図１から図１８においては図示していないが、図１９で示すように乾燥釜４１の側面には、乾燥釜４１の温度変化を常時検知している温度センサー１８０を密着して固定してある。この温度センサー１８０は乾燥釜４１の温度の変化を常時検出して電気信号として出力しており、乾燥釜４１の温度が急激に変化したときに、乾燥釜４１の内部に貯留した屎尿が蒸発したかを検知し、蒸発・乾燥の処理が完了したかを判別するために用いるものである。
【０１３５】
〔液面センサー１８１の機構〕
【０１３６】
そして、保持板３５の下面であって乾燥釜４１の内部空間の位置には、図１９で示すように一対の電極で構成された液面センサー１８１が固定してある。この液面センサー１８１はその基部を保持板３５の下面に絶縁して固定してあり、一対の液面センサー１８１は相互に接触しないように少し間隔を離して位置させてある。この液面センサー１８１は、乾燥釜４１の内部空間に上方から垂れ下がるように位置させてあり、両液面センサー１８１の下端には導電性の金属を露出させてあり、一対の液面センサー１８１の下端に屎尿の液面が接触すると両液面センサー１８１間に電流が流れ、屎尿の高さ位置を検知することができるものである。この液面センサー１８１の下端の位置は、乾燥釜４１に収容した屎尿を蒸発・乾燥の処理をすることが許容できる液面高さになるように設定してある。つまり、液面センサー１８１の下端までの高さに屎尿を乾燥釜４１に貯留した容積がこの仮設便所１１における一回の処理能力となる。
【０１３７】
そして、エゼクトパイプ１４７に接続してある空気パイプ１５０は下方に延長していて、空気パイプ１５０の下端には三方に切り換えることができる切換弁１６１が接続してある。この切換弁１６１の一方の切換端には給気パイプ１６２が接続してあり、給気パイプ１６２の終端は保持板３５に開口した空気穴５４に接続してある。また、切換弁１６１の他方の切換端には送気パイプ１２５が接続してある。乾燥釜４１の上部空間と連通する排気パイプ５６には開閉弁１２４が接続してあり、開閉弁１２４には蒸発パイプ１６４を介して吸気ジョイント１３１が接続してある。この蒸発パイプ１６４の側面には送気パイプ１２５の終端が接続してある。また、排気ジョイント１３０には放出パイプ１６５の一端が接続してあり、放出パイプ１６５の他端は送気パイプ１７７の側面に接続してある。
【０１３８】
〔電気制御回路の構成〕
【０１３９】
次に、図２０により本実施の形態における屎尿処理装置１５全体を自動的に制御する電気系統の構成をブロック図により説明する。この屎尿処理装置１５の全体は中央演算回路１９１によって集中的に制御されており、中央演算回路１９１はＣＰＵ（マイクロプロセッサーや中央演算素子等）やプログラムを記憶させた不揮発性メモリー（ＲＯＭ）などから構成されている。この不揮発性メモリーには、予め定められた手順が記憶させてあり、一定の条件を判別して屎尿処理装置１５を最適な状態で作動させることができ、故障や不適当な条件は自己判断して自動的に処理動作を停止することができる。
【０１４０】
〔〔中央演算回路１９１への入力信号系統〕〕
【０１４１】
前述した液面センサー１８１の出力信号はオーバーフロー判別回路１９５に入力しており、オーバーフロー判別回路１９５からの判別信号は中央演算回路１９１に入力している。また、乾燥釜４１の温度変化を検知する温度センサー１８０の出力信号は温度判別回路１９６に入力しており、温度判別回路１９６からの判別信号は中央演算回路１９１に入力している。そして、ハウス１３の内部には、この仮設便所１１を使用した人が排泄した屎尿の処理の開始の指示を行うための処理スイッチ１８３が設けてある（図示せず）。この処理スイッチ１８３の出力信号は乾燥指示回路１９７に入力しており、乾燥指示回路１９７からの判別信号は中央演算回路１９１に入力している。前述の温度センサー１４３の信号は過熱判別回路１９８に入力し、過熱判別回路１９８の判別信号は中央演算回路１９１に入力している。なお、この仮設便所１１全体の動作を開始させるための、電源スイッチ１９２の出力も中央演算回路１９１に入力している。
【０１４２】
〔〔中央演算回路１９１からの出力信号系統〕〕
【０１４３】
この中央演算回路１９１は、入力した各種の信号とその内部に予めプログラムとして記憶してある条件とを比較し、その判断結果によって屎尿処理装置１５に設けられた各種の機構を動作させることができる。このため、中央演算回路１９１からは複数の制御信号を出力することができる。この中央演算回路１９１からはそれぞれ独立した複数の制御信号が出力されており、各制御信号はそれぞれ使用中止表示回路１９３、モーター制御回路２０１、開閉弁制御回路２０２、ヒーター制御回路２０３に入力している。
【０１４４】
このモーター制御回路２０１の出力にはモーター１０８、送風機１４５、モーター１５９がそれぞれを独立して接続してある。また、開閉弁制御回路２０２の出力には開閉弁１２４、切換弁１６１、１７１が接続してあり、ヒーター制御回路２０３の出力にはヒーター１３９と高周波発生回路２０４に接続してあり、高周波発生回路２０４の出力には高周波コイル１１８が接続してある。そして、使用中止表示回路１９３には表示ランプ１９４を接続してある。
【０１４５】
次に、本実施の形態の仮設便所１１に設けた屎尿処理装置１５の動作をそれぞれの状況ごとに区分けして具体的に説明する。
【０１４６】
＜無動作の状態＞
【０１４７】
この仮設便所１１が倉庫などに保管されている状態のとき、あるいは仮設便所１１が催物会場に設置されているが、夜間や休日等で使用されていない状態のときには、電源スイッチ１９２はオフ（回路を投入していないこと）となっていて、屎尿処理装置１５を構成する各機構は停止の状態を維持している。この電源スイッチ１９２がオフに設定してあると、その信号により中央演算回路１９１は停止の状態を維持し、中央演算回路１９１はモーター制御回路２０１、開閉弁制御回路２０２、ヒーター制御回路２０３にそれぞれ停止の信号を送っている。
【０１４８】
この停止の状態において、モーター制御回路２０１はモーター１０８、送風機１４５、モーター１５９をそれぞれ停止させている。そして、開閉弁制御回路２０２は開閉弁１２４、１７１をそれぞれ閉鎖させており、切換弁１６１を空気パイプ１５０と送気パイプ１２５が連通する方向に切り換えている。ヒーター制御回路２０３はヒーター１３９、高周波発生回路２０４に電力の供給をしておらず、ヒーター１３９は発熱しておらず、高周波コイル１１８は電磁波を発生していない。
【０１４９】
＜電源の投入による待機＞
【０１５０】
この仮設便所１１を工事現場や催物会場等で仮設して臨時に使用する場合、この仮設便所１１に収納した屎尿処理装置１５の各機構をスタートアップし、便器１６に排泄された利用者の屎尿を直ちに処理できるように、待機の状態に設定しておかなければならない。この仮設便所１１を『待機』の状態に設定するには、仮設便所１１の管理者あるいは催物会場の責任者等が電源スイッチ１９２をオンする（電源を投入する）ことから開始される。この電源スイッチ１９２がオンされると、屎尿処理装置１５が動作を開始し、何時でも排泄された屎尿の処理を開始できる状態となる。電源スイッチ１９２からのオンの信号により、中央演算回路１９１はモーター制御回路２０１、開閉弁制御回路２０２、ヒーター制御回路２０３をそれぞれ動作することができる状態に切り替わることになる。
【０１５０】
この待機の状態の時には、ヒーター制御回路２０３はヒーター１３９に電流を流していて、ヒーター１３９を発熱させている。ヒーター１３９から発生した熱は内筒１２９を介して触媒粒１３３を加熱している。待機の状態で触媒粒１３３を熱するのは、特定の温度に温めておかなければ触媒の特性である酸化・還元の機能を発生しないからであり、本格的な屎尿の処理の前に触媒粒１３３を直ちに作動できるように準備しておかなければならないからである。同時に、モーター制御回路２０１は送風機１４５の内部に収納したモーター（図示せず）の作動を開始させる。すると、送風機１４５はその側面に開口した吸気パイプ１４６より空気をＤ方向に吸引してエゼクトパイプ１４７の方向に放出し、放出された空気はエゼクトパイプ１４７の内部空間を流動してその開口端より図１７中でＥ方向に噴出させられる。エゼクトパイプ１４７で空気が流動すると、エゼクトパイプ１４７の内部の途中に設けた中子パイプ１４８の周囲を空気が高速で通過することになり、放出口１４９の廻りで負圧を発生させることになる。このため、放出口１４９より中子パイプ１４８の内部の空気がその負圧により吸引され、空気は図１７中でＪ方向に排出される。この中子パイプ１４８は図１７で示すように送気パイプ１７７と連通しているため、Ｊ方向に空気が排出されることで放出パイプ１６５を介して外筒１２７の内部の空気を排出することになる。
【０１５１】
そして、エゼクトパイプ１４７内を空気がＥ方向に流動すると、その空気の一部は取入口１５１から取り入れられ、空気パイプ１５０に流入する。この空気は空気パイプ１５０より切換弁１６１、送気パイプ１２５、蒸発パイプ１６４を通じて吸気ジョイント１３１より外筒１２７の下部空間に流入する。こうして、外筒１２７の内部の空気は排気ジョイント１３０より吸引され、吸気ジョイント１３１より送風されるので、冷たい空気が外筒１２７の内部に流入して循環することになる。この空気の循環を行うのは、ヒーター１３９により加熱された触媒粒１３３が不必要に高温になるのを防止するためである。こうして、仮設便所１１は待機の状態を維持することになる。
【０１５２】
＜利用者による仮設便所１１の使用＞
【０１５３】
このように、電源スイッチ１９２がオンされると屎尿処理装置１５の各機構が待機の状態となり、利用者がいつでも仮設便所１１を使用することができる。この待機している仮設便所１１を使用するには、利用者がドアー１４を開けてハウス１３の内部に入り、便器１６に向かって屎尿を排泄する。排泄された屎尿はこの便器１６によって受け止められ、一時ここで貯留される。
【０１５４】
＜＜乾燥釜４１への屎尿の投入＞＞
【０１５５】
このようにして仮設便所１１の便器１６を利用した使用者が、その排便が終わった後にハウス１３内に設けてある処理スイッチ１８３を押すことにより便器１６の屎尿は乾燥釜４１に投入され、乾燥の処理が始まる。処理スイッチ１８３が押されると、中央演算回路１９１は図示しない開閉弁を開放させ、便器１６の下部を開放し、屎尿を下方に流動させる。すると、屎尿はジョイント８０を落下して導入パイプ７９に移動し、この導入パイプ７９の斜めになった内部を流動して乾燥釜４１に投入される。なお、屎尿の一部がジョイント８０、導入パイプ７９の内壁に付着することになるが、この乾燥釜４１への投入の際に、少量の洗浄水を便器１６に噴射し、これれらの付着した屎尿を洗浄水とともに乾燥釜４１に流入させることもできる。所定の時間だけ便器１６の開閉弁を開放し、洗浄水を噴射したならば、中央演算回路１９１は屎尿が全て投入されたものと判断し、開閉弁を閉鎖する。
【０１５６】
＜＜仮設便所１１の使用制限＞＞
【０１５７】
このような、屎尿の乾燥釜４１への投入は、利用者が仮設便所１１を使用して処理スイッチ１８３を押す度に行われる。しかし、継続的に屎尿の投入を行っていると、ついには乾燥釜４１の容量を超えて屎尿が投入されることになり、次の蒸発・乾燥の処理が行えなくなる。このため、乾燥釜４１に投入される屎尿が所定の量になったならば、仮設便所１１の使用を停止させて、利用者による使用を制限することになる。
【０１５８】
すなわち、乾燥釜４１に投入された屎尿の液面高さが上昇し、ついには乾燥釜４１の内部で屎尿を貯留できる量以上になると、屎尿の液面が液面センサー１８１に接触することになり、液面センサー１８１の電極間を短絡させる。すると、この信号はオーバーフロー判別回路１９５に伝えられ、オーバーフロー判別回路１９５は中央演算回路１９１に乾燥釜４１が処理能力の限界にまで屎尿が投入されたことを伝える。すると、中央演算回路１９１は仮設便所１１の使用を一時制限する判断を行ない、使用中止表示回路１９３にその判別信号を出力する。
【０１５９】
すると、使用中止表示回路１９３は仮設便所１１の内部に設けた表示ランプ１９４を点灯させ、利用者にこの仮設便所１１の乾燥釜４１がオーバーフローしたことを報知し、表示ランプ１９４が消灯するまで使用しないように注意を促すことになる。同時に、中央演算回路１９１は便器１６の開閉弁を動作させず、利用者が便器１６に屎尿を排泄しても、それ以上は屎尿を乾燥釜４１に投入させないように制限する。この動作により、乾燥釜４１には処理能力以上の屎尿を投入させないようにして、円滑な蒸発・乾燥の処理を行うようにしている。なお、この仮設便所１１の使用制限の動作は、屎尿の液面が液面センサー１８１と接触してから、次に説明する一連の屎尿の処理サイクルが完了し、乾燥釜４１の屎尿が全て蒸発させられるまで続けられる。
【０１６０】
＜屎尿の蒸発・乾燥の処理の開始＞
【０１６１】
前述のように、処理スイッチ１８３が利用者により押され、排泄された屎尿が乾燥釜４１に投入されたなら、中央演算回路１９１は便器１６の開閉弁を閉鎖して、次いで、乾燥釜４１内に貯留した屎尿の蒸発・乾燥の処理を開始する。この処理では、中央演算回路１９１は予め内部に記憶させてあるステップに従い、モーター制御回路２０１、開閉弁制御回路２０２、ヒーター制御回路２０３にそれぞれ個別の制御信号を伝えて蒸発・乾燥の処理を指示する。
【０１６２】
そして、この蒸発・乾燥の処理では、＜流路の切換＞、＜乾燥釜４１の加熱＞、＜消臭部２４による消臭＞、＜排気部２５による乾燥釜４１内の空気の排出＞、＜攪拌部２８の回転運動＞、＜蓄熱体５０による屎尿の攪拌＞のそれぞれの一連の動作を行うことになる。それぞれの動作を、以下に順次説明する。
【０１６３】
＜＜流路の切換＞＞
【０１６４】
この蒸発・乾燥の処理が開始されると、中央演算回路１９１は開閉弁制御回路２０２により開閉弁１２４が開放させ、切換弁１６１は空気パイプ１５０と給気パイプ１６２を連通させた状態となっている。しかし、図１９で示される開閉弁１７１は閉鎖させたままにしておく。このため、取入口１５１から取り入れられて空気パイプ１５０を流動する空気は、給気パイプ１６２より乾燥釜４１に流入し、屎尿の酸化を補助することになる。また、乾燥釜４１から蒸発した水蒸気と空気は開閉弁１２４を通過して、蒸発パイプ１６４より消臭部２４に流動することができる。
【０１６５】
＜＜乾燥釜４１の加熱＞＞
【０１６６】
中央演算回路１９１からヒーター制御回路２０３に制御信号が入力すると、ヒーター制御回路２０３は高周波発生回路２０４に電力を供給し、高周波発生回路２０４より高周波電力を高周波コイル１１８に供給させる。コイル容器１１９に収納してある高周波コイル１１８に高周波電力が供給されると、高周波コイル１１８は上下方向に電磁波を発生させ、この高周波の電磁波はコイル容器１１９の外に漏れて高い周波数で交拌する。コイル容器１１９から漏れ出た高周波の電磁波は、コイル容器１１９の上面に接近している乾燥釜４１の底部分を通過し、電磁波は乾燥釜４１の底部分で交拌することになる。
【０１６７】
このため、乾燥釜４１の底部分では高い周波数の電磁波が交拌することで電磁誘導加熱の現象が発生し（乾燥釜４１は鉄等の金属製の材料で形成されている）、乾燥釜４１自体が発熱する。同時に、この電磁波は乾燥釜４１内に収納した蓄熱体５０にも交拌することになり、この蓄熱体５０自身も発熱する。この電磁誘導加熱により乾燥釜４１と蓄熱体５０が発熱するため、乾燥釜４１内に貯留した屎尿は乾燥釜４１と蓄熱体５０により加熱され、その温度が上昇することになる。このように屎尿の温度が上昇すると、ついには貯留した屎尿が沸騰する温度にまで加熱され、屎尿の大部分の成分である水分は水蒸気となってその表面から蒸発することになる。
【０１６８】
＜＜消臭部２４による消臭＞＞
【０１６９】
前述のように、ヒーター制御回路２０３はヒーター１３９に電力の供給しているため、ヒーター１３９は高い温度で発熱することになる。このヒーター１３９の発熱は内筒１２９を介して触媒粒１３３を加熱していて、触媒粒１３３がその酸化・還元の機能を発揮するに十分な温度に維持している。このため、外筒１２７の内側と内筒１２９の外側のドーナツ状をした空間を流動する空気は、温度の高い触媒粒１３３と接触し、その空気に含まれた臭気の要素であるアンモニア、臭素などが酸化・還元され、無臭の状態に変化させられる。
【０１７０】
＜＜排気部２５による乾燥釜４１内の空気の放出＞＞
【０１７１】
前述のように、中央演算回路１９１はモーター制御回路２０１を介して送風機１４５の内部に収納したモーター（図示せず）を作動させている。このため、送風機１４５はその側面に開口した吸気パイプ１４６より空気を吸引してエゼクトパイプ１４７の方向に放出し、放出された空気はエゼクトパイプ１４７の内部空間を流動してその開口端より図１７中でＥ方向に噴出させられる。エゼクトパイプ１４７で空気が流動すると、エゼクトパイプ１４７の内部の途中に設けた中子パイプ１４８の周囲を空気が高速で通過することになり、放出口１４９の廻りで負圧を発生させることになる。このため、放出口１４９より中子パイプ１４８の内部の空気がその負圧により吸引され、空気は図１７中でＪ方向に排出される。この中子パイプ１４８は図１７で示すように送気パイプ１７７と連通しているため、Ｊ方向に空気が排出されることで送気パイプ１７７より空気を吸引することになる。この送気パイプ１７７には放出パイプ１６５を介して排気ジョイント１３０が接続してあるため、排気ジョイント１３０より外筒１２７内の空気が吸引され、空気は図１５中において吸気ジョイント１３１より排気ジョイント１３０に流れる。この吸気ジョイント１３１は蒸発パイプ１６４、開閉弁１２４を介して乾燥釜４１の内部に連通しているため、結果として乾燥釜４１の内部の空気は開閉弁１２４、蒸発パイプ１６４、吸気ジョイント１３１の順に吸い上げられる。
【０１７２】
このような空気の流動において、吸気ジョイント１３１より外筒１２７に流入した空気は、フィルター１３４を通過し、ヒーター１３９により高い温度に維持されている触媒粒１３３の方向に流動する。この乾燥釜４１から蒸発してきた水蒸気と空気には、アンモニア、臭素などの悪臭の原因となる要素を含んでおり、そのままでは外気に放出することはできない。だが、乾燥釜４１からの空気が触媒粒１３３の表面と接触すると、これらの悪臭の要素は触媒粒１３３を構成する白金、ロジウムなどの触媒と接触し、悪臭の要素は酸化還元され、無臭の状態に変質される。次いで、この空気は放出パイプ１６５、送気パイプ１７７を流動し、エゼクトパイプ１４７の内部で送風機１４５からの空気と混合され、エゼクトパイプ１４７の開口端より外気に拡散される。
【０１７３】
なお、乾燥釜４１内の空気はエゼクトパイプ１４７の方向に吸引されるが、排出された量と同じ量の空気が新たに乾燥釜４１内に流入させなければならない。前述のエゼクトパイプ１４７内を空気が流動すると、エゼクトパイプ１４７の終端に位置している空気パイプ１５０の取入口１５１に流入し、排出された空気の一部は空気パイプ１５０を流動する。この空気パイプ１５０の内部を流動する空気は、切換弁１６１と給気パイプ１６２を通過した後に、保持板３５の上面に開口した空気穴５４より乾燥釜４１の内部に流入する。この新鮮な空気によって乾燥釜４１内に収納した屎尿の酸化が促進させることになる。
【０１７４】
＜＜攪拌部２８の回転運動＞＞
【０１７５】
また、中央演算回路１９１はモーター制御回路２０１に制御信号を出力し、モーター制御回路２０１によりモーター１０８の動作を開始させ、モーター１０８により攪拌部２８の回転を行わせる。モーター１０８に電力が供給されると、モーター１０８の回転出力はギアボックス１０９を介してその回転数が減速され、上端にある出力軸１１０を低速で回転させる。すると、出力軸１１０に固着してあるプーリー１１３も同時に回転し、図５、図７で示すようにベルト１１４を介してプーリー８５を従動させ、プーリー８５の回転によりその中央に固着してある駆動軸６６を水平方向に回転させることになる（このプーリー８５と駆動軸６６とは図１０、図１１で示すようにキー８７が噛み合わせてあるため、水平方向のスリップは発生せずにそのまま同期して回転する）。そして、駆動軸６６は図１０、図１１で示すように、その上下をベアリング７４と８１によって外軸筒６６に回転自在に保持されているため、水平方向に円滑に回転することになる。このようにして、ベルト１１４を介してプーリー８５が従動させられると、その回転力はキー８７を介して駆動軸６６に伝えられ、プーリー８５と駆動軸６６は同時に同じ方向に回転することになる。
【０１７６】
この駆動軸６６の下部には、図７、図１２で示すように攪拌部２８が吊り下げられているため、攪拌部２８全体は駆動軸６６と共に水平方向に回転することになる。この回転の動作では、駆動軸６６の下端に固着した連結板６８に連結板９５が連結してあり、連結板９５には吊り下げパイプ９７、斜向パイプ９８、吸引パイプ９９で構成されたクランク状となったパイプが吊り下げられているため、これらのパイプは乾燥釜４１の内部で駆動軸６６と同期して回転することになる。しかも、吸引パイプ９９は図６、図７で示すように乾燥釜４１の内側壁に接近していて、吸引パイプ９９は駆動軸６６を回転の中心として乾燥釜４１内で円形の軌跡を描きながら回転することになる。そして、吸引パイプ９９の下端開口は乾燥釜４１の底面と接触しない程度の間隔を保って回転している。
【０１７７】
この吸引パイプ９９が回転すると、吸引パイプ９９の側面に連結してある三角板１００、１０１および攪拌板１０４、スカート板１０５も同時に乾燥釜４１内で円形の回転をすることになる。この攪拌板１０４、スカート板１０５の回転では、図６に示すように、攪拌板１０４、スカート板１０５は乾燥釜４１の空間を二分しながらその形態で回転することになり、攪拌板１０４の両側端は乾燥釜４１の内壁と少しの間隔を離して接触しないように回転し、スカート板１０５の下端は乾燥釜４１の底と少しの間隔を離して接触しないように回転する。このため、図６で示すように、攪拌板１０４とスカート板１０５は乾燥釜４１の内部で屎尿を攪拌するように回転し、同時に乾燥釜４１内に収納してある蓄熱体５０を押しながら転動させることになる。
【０１７８】
＜＜蓄熱体５０による屎尿の攪拌＞＞
【０１７９】
このように、モーター１０８が作動するとその回転力により攪拌部２８全体が回転させられ、攪拌板１０４とスカート板１０５により乾燥釜４１内に投入してある蓄熱体５０を乾燥釜４１の内部で転動させることになる。攪拌板１０４とスカート板１０５で乾燥釜４１に収納した屎尿を攪拌すると同時に蓄熱体５０を転動させるため、乾燥釜４１内に収納した屎尿は攪拌板１０４、スカート板１０５、蓄熱体５０によって攪拌させられ、屎尿全体の温度が均一となるように掻き混ぜられる。この攪拌と転動の動作において、各蓄熱体５０の表面には屎尿が順次付着し、蓄熱体５０が発熱している熱がそれぞれ屎尿に伝達され、屎尿の温度を上昇させる補助の作用を行う。こうして、屎尿は蓄熱体５０によって攪拌されながら、その発熱している温度が伝えられて屎尿全体の温度の上昇が行われている。
【０１８０】
なお、乾燥釜４１の底の中央には、図７の断面図で示すように、その中央が隆起した突起４３を形成してある。この突起４３が乾燥釜４１の底の中央に位置していることから、複数の蓄熱体５０が乾燥釜４１の内部で転動している際に、蓄熱体５０は突起４３の斜面を滑り落ち、蓄熱体５０は乾燥釜４１の中心に集まらずに乾燥釜４１の周囲で転動することになる。このため、複数個の蓄熱体５０が転動しても、それぞれの蓄熱体５０が乾燥釜４１の中心部で団子状に集合せず、常に乾燥釜４１の周囲の底の付近で転動し、屎尿を確実に攪拌することができる。
【０１８１】
＜乾燥釜４１による屎尿の蒸発・乾燥の処理の終了＞
【０１８２】
このように、高周波コイル１１８により乾燥釜４１と蓄熱体５０を加熱しながら攪拌部２８を回転させることにより、乾燥釜４１内に収納された屎尿は沸騰を続け、屎尿を構成する大部分の成分である水分は蒸発を続けることになる。この蒸発の動作を継続すると、乾燥釜４１内に収納した屎尿の全てが蒸発されることになる。乾燥釜４１内の屎尿の全てが蒸発したならば、継続して高周波コイル１１８で乾燥釜４１と蓄熱体５０を加熱する必要はなくなり、蒸発・乾燥の処理を終了しなけらばならない。この処理の終了は温度センサー１８０によって検知することができる。
【０１８３】
この乾燥釜４１に収納した屎尿の全て乾燥すると、それまでは屎尿を蒸発させていたため乾燥釜４１の温度は沸騰点付近で維持されていたが、熱を吸収する屎尿が無くなるため乾燥釜４１の温度が急激に上昇することになる。この乾燥釜４１の温度は温度センサー１８０によって常に検知されており、屎尿が蒸発して乾燥釜４１の外側の温度が急激に上昇すると、この温度変化は温度センサー１８０で検知される。この温度センサー１８０による温度変化の検知信号は温度判別回路１９６に伝えられ、この温度判別回路１９６で乾燥釜４１の屎尿が全て蒸発されたことを判別する。そして、温度判別回路１９６による判別信号は中央演算回路１９１に出力され、この中央演算回路１９１は蒸発・乾燥の処理の停止を行うと共に、次の清掃の処理を指示することになる。
【０１８４】
＜＜乾燥釜４１の加熱の停止＞＞
【０１８５】
中央演算回路１９１ではヒーター制御回路２０３に動作を停止する信号を出力し、これによりヒーター制御回路２０３はヒーター１３９と高周波発生回路２０４への電力の供給を停止する。このため、ヒーター１３９は発熱を停止し、高周波発生回路２０４は高周波コイル１１８に対して高周波の電力の供給を停止して乾燥釜４１、蓄熱体５０の加熱が停止される。なお、ヒーター１３９と高周波コイル１１８による加熱が停止されても、中央演算回路１９１はモーター制御回路２０１への制御信号を維持しており、モーター１０８、送風機１４５はなおも従前通りにその動作を継続している。
【０１８６】
＜清掃の処理の開始＞
【０１８７】
次に、中央演算回路１９１は予め内部に記憶させたプログラムの手順に従い、清掃の処理を開始する。前述のように、乾燥釜４１で屎尿を蒸発・乾燥させると大部分の成分である水分は蒸発するが、屎尿に含まれる有機物や無機質等が塵埃となって残ることになる。このような塵埃が乾燥釜４１に蓄積すると、乾燥釜４１の内壁、底に付着して残ることになり、長年の使用によっては攪拌板１０４、スカート板１０５、蓄熱体５０が乾燥釜４１内で回転できなくなり、遂には仮設便所１１の機能を果たさなくなることになる。このため、屎尿の蒸発・乾燥の処理が完了したならば、次いで清掃の処理を行い、乾燥釜４１に残った塵埃を除去しなければならない。
【０１８８】
この清掃の処理の動作では、中央演算回路１９１はモーター制御回路２０１に制御信号を出力してモーター１５９の動作を開始させ、同時に、開閉弁制御回路２０２に制御信号を出力して開閉弁１７１を開放させ、開閉弁１２４を閉鎖させる。このモーター１５９が作動されると、吸引機１５７に内蔵したファン１７４は回転を開始し、回収箱１５２内の空気を吸引して排出パイプ１５８方向に放出し、図１８中でＧ方向に排出する。すると、ファン１７４による空気の吸引により、フィルター１５６を介して回収箱１５２の内部は負圧となり、導入パイプ１５４より空気を回収箱１５２の内部に吸引する。
【０１８９】
このため、吸引パイプ９９の下端開口から乾燥釜４１内の空気は吸引され、吸引パイプ９９、斜向パイプ９８、吊り下げパイプ９７を流動し、次いで、駆動軸６６の中央に開口した通気穴６７を通過し、開閉弁１７１、吸塵パイプ１７２、導入パイプ１５４を通過してゴミ袋１５５の内部に流入する。このゴミ袋１５５を通過した空気は回収箱１５２の内部空間に流動し、フィルター１５６を通過した後に吸引機１５７、排出パイプ１５８、送気パイプ１７５、逆止弁１７６、送気パイプ１７７を通過し、中子パイプ１４８に流動する。そして、中子パイプ１４８にまで達した空気は、前述のように排気部２５によるエゼクター効果で放出口１４９より吸引され、エゼクトパイプ１４７の開口より外気に放出されることになる。このようにして、吸引パイプ９９から放出パイプ１４２までの一連の空気の流路が形成される。
【０１９０】
この吸引パイプ９９の下端開口より空気が吸引され、回収箱１５２の方向に流動される際に、吸引パイプ９９の下端開口が乾燥釜４１の底面に接近しているため、乾燥釜４１の底に残った蒸発できない有機物や無機質等による塵埃が空気と共に吸引パイプ９９の下端開口から吸引される。そして、空気と共に吸引された塵埃は前述の順路に従ってゴミ袋１５５内に流入させられ、このゴミ袋１５５では空気はその膜面を通過させるが塵埃はその膜面の細かい網目に引っ掛けられて捕獲される。このため、ゴミ袋１５５では流入した空気から塵埃を分離し、清浄な空気のみを回収箱１５２の内部空間に通過させる作用を行い、乾燥釜４１に残留していた塵埃はこのゴミ袋１５５で捕獲される。
【０１９１】
このとき、モーター１０８は蒸発・乾燥の処理に引き続きなおも継続して作動しており、プーリー１１３、ベルト１１４、プーリー８５を介して攪拌部２８全体は乾燥釜４１内で味噌すり運動のように円形の軌跡により回転している。このため、吸引パイプ９９の下端開口は乾燥釜４１の底で円形に回転し、乾燥釜４１の底に溜まっていた塵埃を万遍なく吸い上げることになる。さらに、この攪拌部２８が回転すると攪拌板１０４、スカート板１０５も同時に回転し、蓄熱体５０を乾燥釜４１の底の部分で転動させているため、蓄熱体５０によって乾燥釜４１の底に溜まっていた塵埃を剥ぎ取ると共に、細かく砕く作用を行い、乾燥釜４１の底に溜まっていた塵埃は剥離されると同時に空気と共に吸引され易いように細かく粉砕される。
【０１９２】
このようにして、吸引パイプ９９の下端開口より吸い上げられた塵埃はゴミ袋１５５で捕獲され、ゴミ袋１５５の膜面を通過した清浄な空気はフィルター１５６を通過し、前述した経路によって送気パイプ１７７に流動される。なお、この空気の流動において、逆止弁１７６の内部では弁が開放し、送気パイプ１７５より送気パイプ１７７への空気の流動を許容しているため、この流動方向には空気は円滑に流れることになる。そして、送気パイプ１７７より中子パイプ１４８に放出された清浄になった空気は、放出口１４９で空気が吸引されていることから（送風機１４５は加熱・乾燥の処理に引き続きなおも継続して作動している）、排気パイプ１４１、中子パイプ１４８の順に流動し、エゼクトパイプ１４７を流動している空気と混合されてエゼクトパイプ１４７の開口端より外気に放出される。
【０１９３】
＜清掃の処理の停止＞
【０１９４】
前述のように、乾燥釜４１の内部に溜まっている塵埃を吸引することによる清掃の処理が所定の時間だけ動作されると、乾燥釜４１の底部分に貯留していた塵埃はゴミ袋１５５で捕捉され、清掃の処理は完了する。すると、仮設便所１１は清掃の処理を自動的に停止させ、初期の状態に復帰させなければならない。これは、次に仮設便所１１を使用して、便器１６に排泄する使用者のために待機しなければならないからである。
【０１９５】
この清掃の処理の停止では、中央演算回路１９１に予め記憶させてあるプログラムにより、清掃の処理を開始してから所定の時間が経過したならば、中央演算回路１９１が自己判断して停止の信号を出力する。このため、中央演算回路１９１はモーター制御回路２０１に制御信号を出力し、モーター１５９の動作を停止させてファン１７４による空気の吸引を停止させ、吸引パイプ９９による乾燥釜４１からの空気の吸引を停止する。同時に、中央演算回路１９１は開閉弁制御回路２０２にも制御信号を出力し、通気穴６７と吸塵パイプ１７２を接続している開閉弁１７１を閉鎖させる。これにより、吸引パイプ９９の下端開口より放出パイプ１４２の先端開口に至る空気の流路が閉鎖され、空気と塵埃の流動が行われなくなり、清掃の処理が停止される。
【０１９６】
なお、ここまでの一連の処理動作は、電源スイッチ１９２が途中でオフされても継続して行われる。これは、一旦乾燥釜４１の内部に屎尿を投入したならば、装置の一部が故障しない限り、一回の処理サイクルを完了させ、乾燥釜４１の屎尿を全て蒸発させなければならないからである。処理の途中で作業員の不注意により電源スイッチ１９２がオフされ、＜蒸発・乾燥の処理＞が中止されるとなれば、乾燥釜４１には屎尿がそのまま残ってしまい、次に使用する場合に不都合となるからである。
【０１９７】
＜次の処理サイクルを開始させるか＞
【０１９８】
このようにして、＜蒸発・乾燥の処理＞に続き＜清掃の処理＞、＜清掃の処理の停止が行われたならば、仮設便所１１の動作を停止させるか、次の処理サイクルに移行するか、さらには触媒体１４０の清掃動作を行うかを判断する。この仮設便所１１の動作を停止させるのは、電源スイッチ１９２がオフされているかどうかで判断する。この時点まで処理が進行していて、電源スイッチ１９２がオフされているならば、中央演算回路１９１は仮設便所１１の動作を全て停止させる。しかし、処理サイクルが進行していても、電源スイッチ１９２がオンされているのであれば、処理サイクルは前述した＜蒸発・乾燥の処理＞に復帰し、再度屎尿を加熱して蒸発させる作用を行う。また、中央演算回路１９１が触媒体１４０の清掃を行わなければならない、と自己判断したときにはその清掃処理の動作に移行する。
【０１９９】
＜再度の屎尿の蒸発・乾燥の処理＞
【０２００】
前述の＜清掃の処理の停止＞が完了し、電源スイッチ１９２がオンされている条件であって、仮設便所１１を次に使用した利用者が処理スイッチ１８３を押してオンすると、中央演算回路１９１は再度屎尿の＜蒸発・乾燥の処理＞を開始し、次の処理サイクルを継続する。この処理は、前述したのと同様に中央演算回路１９１より開閉弁制御回路２０２、ヒーター制御回路２０３にそれぞれ制御信号を出力し、前述と同様に所定量の屎尿を乾燥釜４１内に注入し、乾燥釜４１内で屎尿の蒸発・乾燥の処理を行う。この処理のサイクルは前述と同様に、＜流路の切換＞、＜蒸発・乾燥の処理＞、＜清掃の処理＞、＜清掃の処理の停止＞、＜処理サイクルの停止の判断＞のサイクルとなり、この処理サイクルは電源スイッチ１９２がオフされない限り継続して繰り返される。
【０２０１】
＜ヒーター１３９の過熱防止＞
【０２０２】
前述のように、ヒーター１３９には電力が通電され、それ自体で発熱して触媒粒１３３を過熱している。しかし、ヒーター１３９に通電を続けると、ヒーター１３９自身の温度が高くなり、断線する原因となる。ヒーター１３９が極端に高い温度になるのを防ぐため、取入口１５１からの空気を外筒１２７に流入させ、冷たい空気を循環させている。しかし、この空気による冷却においても発熱と放熱のバランスが崩れることもあり、必ずしも空気冷却でヒーター１３９の温度が高くなるのを防ぐことはできない。このため、ヒーター１３９の中央に挿入した温度センサー１４３が常時温度を検知していて、その信号を過熱判別回路１９８に出力している。ヒーター１３９が予め設定した温度より高くなったならば、温度センサー１４３からの信号により過熱判別回路１９８は危険温度になったと判断し、その信号を中央演算回路１９１に伝える。すると、中央演算回路１９１はヒーター制御回路２０３に制御信号を出力し、一時ヒーター１３９への電力の供給を停止させ、温度がそれ以上上昇しないように抑制する。また、温度センサー１４３がヒーター１３９の温度が低下し、触媒粒１３３の機能を発揮する温度以下になったならば、その信号を過熱判別回路１９８に伝え、前述とは逆にヒーター制御回路２０３よりヒーター１３９に電力を供給して温度を高めさせるように制御する。このようにして、ヒーター１３９の温度を制御しているので、触媒粒１３３は一定の温度に保たれ、その酸化・還元の機能を発揮する温度に設定でき、かつ、ヒーター１３９が断線しない温度以下に維持している。
【０２０３】
＜待機状態への復帰＞
【０２０４】
このようにして、屎尿の処理サイクルは、＜蒸発・乾燥の処理＞、＜清掃の処理＞、＜清掃の処理の停止＞、＜処理サイクルの停止の判断＞を繰り返すことになる。仮設便所１１を使用する利用者がいなくなったような場合（例えば、夜間となったり、休日となり、利用者がいなくなるとき）には、＜清掃の処理の停止＞の動作の後に、電源スイッチ１９２がオンされている条件であって、通常の処理サイクルには移行せず、仮設便所１１は待機の状態に移行する。すなわち、処理スイッチ１８３がオンされることなく、かつ、＜清掃の処理の停止＞の状態になったとき、中央演算回路１９１は屎尿を処理するサイクルには移行せず、仮設便所１１全体を停止させて待機させる。この待機状態は最初における処理の開始と同じである。
【０２０５】
このため、中央演算回路１９１はモーター制御回路２０１に制御信号を出力し、モーター１０８の動作を停止させる。すると、モーター１０８の駆動力により乾燥釜４１内で回転されていた攪拌部２８が停止し、攪拌板１０４、スカート板１０５及び蓄熱体５０はその回転を停止する（なお、ヒーター制御回路２０３は＜清掃の処理＞の際にヒーター１３９と高周波発生回路２０４への電力の供給を停止しているため、ヒーター１３９は発熱しない。また、高周波コイル１１８へは高周波の電力が供給されていないため、乾燥釜４１は加熱されていない）。この待機の状態は利用者が便器１６に対して屎尿を排泄し、利用者が処理スイッチ１８３をオンするまで継続する。また、この待機の状態で電源スイッチ１９２がオフされると、仮設便所１１はその機能の全てを停止する。
【０２０６】
＜仮設便所１１の動作の停止＞
【０２０７】
この仮設便所１１の動作を停止させるには、電源スイッチ１９２をオフすることにより行うことができる。例えば、仮設現場や催物会場などで夜間になって屎尿の処理を行う必要が無くなったり、この仮設便所１１を設置場所から倉庫などに保管する場合などがある。このような場合には、管理責任者や作業員が電源スイッチ１９２を手動によりオフすることで仮設便所１１全体の動作は停止する。しかし、前述したように、＜蒸発・乾燥の処理＞、＜清掃の処理＞などの処理サイクルが継続している際に電源スイッチ１９２をオフしてもそのサイクルでの処理は継続し、一回の処理サイクルが完了するまでは動作は停止しない。その処理サイクルが終了した時点で仮設便所１１の機能は停止する。
【０２０８】
＜処理サイクルを示すフローチャート＞
【０２０９】
前述した仮設便所１１による屎尿の処理の一連の動作の概略は図２１、図２２で示されている。この図２１、図２２によるフローチャートは、前述した処理サイクルの中で大きな動作を示したものであり、仮設便所１１の停止の状態から電源スイッチ１９２をオフして動作を停止させるまでを示している。
【０２１０】
＜処理サイクル中における真理表＞
【０２１１】
また、図２３は一連の動作を動作サイクルにおける各処理状況におけるそれぞれの機構の動作を真理表で表したものである。
【０２１２】
次に、図２２、図２３は本発明の他の実施の態様を示すものである。図２２は消臭部２４を縦方向に切断して、その構成を側面より示した断面図であり、図２３は消臭部２４を構成する部材を分離して組み立てる前の状態を示す分解斜視図である。
【０２１３】
この防臭部２４の全体の外観は円筒形であり、その内部には二重の空間を形成した構造となっていて、外部からは気密に閉鎖されていて、防臭部２４は三つに分解することができる構造となっている。防臭部２４の中心となる外殻は円筒形をした外筒２１０より成り、薄肉の鋼板などで形成してあり、その内部は中空となっていて空気が流動できるようになっている。この外筒２１０の下部側面には、外筒２１０の内部と連通する排気ジョイント２１３が直角に接続してあり、外筒２１０の底部の開口には薄肉の底板２１１が嵌め合わせてあり、底板２１１はその外径を外筒２１０の内径と同一とし、その中央には円形の開口を形成したリング状をしている。底板１２８の外周と外筒１２７の内周とは気密に溶接などで連結してある。
【０２１４】
この底板２１１の中央の開口には、その下方から内筒２１２が挿入してあり、内筒２１２の上端は外筒２１０の上端開口よりも上方に突出するように延長し、内筒２１２の下端は底板２１１の下面より少し突出する程度の長さに設定してある。この内筒２１２は、薄肉の鋼板で内部中空の円筒形に形成してあり、その上部は閉鎖して下方を開口した試験管のような形状にしてあり、内筒２１２の外径は底板２１１の中央開口の内径とほぼ同一に設定してある。そして、底板２１１の開口と内筒２１２との外周とを溶接などにより気密に接続してあり、この構成のため、外筒２１０の内部空間は内筒２１２によって仕切られ、ドーナツ状をした密閉された空間が形成されたことになる。つまり、消臭部２４は円筒形をした外筒２１０と円筒形をした内筒２１２によってその骨格が形成され、内部がリング状をした空間と内筒２１２の内部空間とに分離された二つの部屋を持つ密閉された構造となっている。
【０２１５】
そして、外筒２１０の内周と内筒２１２の外周との間にはリング状をした網底板２１４が挿入してあり、この網底板２１４は排気ジョイント２１３の開口上部よりも少し高い位置に設置し、外筒２１０の内周と内筒２１２の外周とにそれぞれ溶接して固定してある。この網底板２１４はステンレスの細い線を織って形成したもので、空気を上下に流動させることができる構造となっている。この外筒２１０の内周と内筒２１２の外周とで形成されたドーナツ状の空間には、白金やプラチナなどを粒子状に加工した第一触媒粒２２８を充填してあり、第一触媒粒２２８は網底板２１４によって支えられている。充填された第一触媒粒２２８の上端は外筒２１０の上端開口まで詰め込んである。
【０２１６】
前述した外筒２１０の上端開口の外周には、外方に向かって突起したフランジ２１５が形成してあり、外筒２１０の上端開口には中間筒２１７の下端開口を載置してある。この中間筒２１７は外筒２１０の内外径を同一とした薄肉の円筒形をしており、中間筒２１７の下端開口の外周には外方に向かって突起したフランジ２１８が形成してある。外筒２１０と中間筒２１７を上下に接触させた状態で、両フランジ２１５と２１８の外周からその内周面に溝を形成した一対の半月形をしたクランプバンド２１６を左右から噛み合わせてある。このクランプバンド２１６により、外筒２１０と中間筒２１７とは気密に連結してある。このように組み立てられた外筒２１０と中間筒２１７では、中間筒２１７の内部空間に内筒２１２の上部が同心円状に配置され、ドーナツ状をした空間が形成されている。この空間内には、プーリー状をした籠体としての粒子カゴ２３１が内筒２１２の上部から挿入してあり、粒子カゴ２３１によって中間筒２１７の上下が仕切られている。粒子カゴ２３１は、ステンレス線を編んだ網状の素材から成り、上下方向に空気を流動させることができる。この粒子カゴ２３１の周囲には粒子状をした第二触媒粒２２９を充填させてあり、第二触媒粒２２９は周囲を中間筒２１７の内周で仕切られ、上下を粒子カゴ２３１で保持されているので、第二触媒粒２２９は粒子カゴ２３１と中間筒２１７と共に内筒２１２より取り外すことができる。これは、第二触媒粒２２９を洗浄したり、取外したりする場合には、粒子カゴ２３１と中間筒２１７ごと容易に取り出すことができるように、ユニット化させたためである。
【０２１７】
この中間筒２１７の上端開口の外周には、外方に向かって突起したフランジ２１９が形成してあり、中間筒２１７の上端開口には円筒形をした上筒２２０が載置してある。この上筒２２０は上下が開口した薄肉の円筒形をしており、その内外径は中間筒２１７の内外径と同一に設定してあり、その下端開口の外周には外方に向かって突起したフランジ２２１が形成してある。この上筒２２０の下端開口を中間筒２１７の上端開口に密着させ、両者を密着させた状態で両フランジ２２１、２１９の外周には内周面に溝を形成した半月形をした一対のクランプバンド２１３が左右から噛み合わせてある。このクランプバンド２１３により、上筒２２０は中間筒２１７に連結されている。この上筒２２０の側面にはパイプ状をした排気ジョイント２２４が直角に連結してあり、排気ジョイント２２４は上筒２２０の内部空間と連通させてある。この上筒２２０が中間筒２１７に載置された状態で、内筒２１２の上端が排気ジョイント２２４の開口下部よりも少し低い位置になるように設定してある。
【０２１８】
こうして、上筒２２０の内周と内筒２１２の外周との間にはドーナツ状の空間内が形成されるが、この空間には金属網を丸めて形成したフィルター２３０を挿入してある。さらに、上筒２２０の上端開口の外周には外方に向かって突起したフランジ２２２が形成してあり、上筒２２０の上端開口には円盤形をした上蓋板２２５が密着してある。フランジ２２２と上蓋板２２５の外周には内周面に溝を形成した半月形をした一対のクランプバンド２２６が左右から噛み合わせてあり、クランプバンド２２６によってフランジ２２２と上蓋板２２５が気密に連結されている。
【０２１９】
そして、前述した内筒２１２の下端外周には、外方に向かって突起したフランジ２３２が形成してあり、内筒２１２の下端開口には円盤形をした底蓋板２３３が密着させてある。両者を密着させた状態で、フランジ２３２と底蓋板２３３の外周には内周面に溝を形成した一対のクランプバンド２３４が左右から噛み合わせてあり、底蓋板２３３は内筒２１２に気密に連結されている。内筒２１２の内部空間には螺旋形をしたヒーター２３５が挿入してあり、ヒーター２３５の全長は第一触媒粒２２８の下部から第二触媒粒２２９の上部までの長さよりも少し長い程度に設定してある。このヒーター２３５の両端は底蓋板２３３の下面より下方に延長し、電力を供給するための電力線２３７としている。また、ヒーター２３５の下部の中央にはその温度変化を検知するための温度センサー２３６が挿入してあり、この温度センサー２３６に接続して電気信号を出力するセンサーケーブル２３８は底蓋板２３３を通過して、下方に延長してある。これらの、底蓋板２３３、ヒーター２３５、電力線２３７、温度センサー２３６、センサーケーブル２３８は一つのユニットとして組み立てられている。
【０２２０】
このようにして、外筒２１０、内筒２１２、中間筒２１７、上筒２２０、上蓋板２２５により、外観が円筒形をした一体の構造物が組み立てられたことになり、その内部は空洞となっていて、同心円状に空洞の内筒２１２が位置されていることから、外部から気密となった二重の空間が区分けされている。この構成では、防臭部２４の全体を三つの要素に分解することができ、第一触媒粒２２８や第二触媒粒２２９を清掃したり交換したりする際には作業が容易となるものである。この実施の態様において、悪臭を含んだ水蒸気と空気は排気ジョイント２２４より上筒２２０の内部空間に流入し、フィルター２３０を通過した後、第二触媒粒２２９と接触する。この第二触媒粒２２９と接触して、水蒸気と空気に含まれる悪臭の要素であるアンモニア、臭素などが酸化還元される。次いで、水蒸気と空気は外筒２１０の内部に流入し、この外筒２１０の内部空間で第一触媒粒２２８の表面と接触する。この第一触媒粒２２８は、第二触媒粒２２９の形状の異なった粒子で構成したり、その組成が異なった触媒で構成してあるため、第二触媒粒２２９では酸化・還元できなかった悪臭の要素も無臭に変化させることができる。そして、水蒸気と空気は網底板２１４を通過し、外筒２１０の下部空間にまで流動し、次いで排気ジョイント２１３より外部に放出される。
【０２２１】
【発明の効果】
以上説明したように、本願の請求項１の発明によれば、内筒と外筒の間を外部から密閉した空間に形成し、この空間内に触媒を挿入してある。内筒の内部には発熱できるヒーターを挿入してあるため、ヒーターを発熱させると、その熱は内筒を介して触媒を加熱することになる。このため、触媒はヒーターにより、その機能を発揮するに充分な温度に維持されていて、酸化・還元の機能を発揮することができる。そして、ヒーターからの熱は内筒を介して直接触媒に伝達されるため、熱効率が極めて高くなる。また、加熱のための機構と触媒の容器を同一の機構に収納したので、装置全体の容積が小さくなり、小さな屎尿処理装置の内部であっても収納させることができる。
【０２２２】
本願の請求項２の発明によれば、内筒と外筒の間にドーナツ状の空間を形成し、この空間に触媒を収納させてある。外筒の上部開口は蓋板によって閉鎖されているが、この蓋板を取り外すことにより、触媒を外部に取り出すことができ、触媒の清掃や交換のメンテナンスが容易となるものである。
【０２２３】
本願の請求項３の発明によれば、内筒の内部に収納するヒーターはスパイラル状をしており、その基部は下蓋板に保持され、ヒーターと下蓋板が一体のユニットとして構成してある。このため、ヒーターを内筒の内部に収納したり、引き出す際には下蓋板ごと組み立てることができ、ヒーターを内筒に収納した状態で下蓋板が内筒の下部開口を閉鎖させることになる。組み立てが容易となり、点検などにおいてヒーターを交換する場合の作業が簡略化される。
【０２２４】
本願の請求項４の発明によれば、外側の容器は、外筒、中間筒、上筒、蓋板によって構成され、それぞれを個別に分離させることができる。そして、外筒、中間筒の内部には、それぞれ別個に第一触媒と第二触媒を収納させることができる。このため、効力の異なった触媒をそれぞれ別個に配置し、酸化・還元の能力を分散して発揮させることができる。そして、中間筒、上筒は別個に取り外すことができるので、各触媒を挿入したり、取り外すことができ、清掃や保守の作業が容易となる。
【０２２５】
本願の請求項５の発明によれば、中間筒の内部には、金網で形成した糸巻状をした籠体に第二触媒を保持させることができる。このため、中間筒だけを取り外したり、組み立てたりする際には、籠体に第二触媒が保持されたままで交換することができ、第二触媒が分散することがない。
【０２２６】
本願の請求項６の発明によれば、内筒の内部にヒーターを収納させるが、ヒーターと同時に温度センサーも収納させることができ、ヒーターの温度上昇を常時観測することができる。ヒーターが必要以上に過熱することにより、断線するおそれがあるが、温度センサーにより不必要な温度以上に上昇しないように制御することができる。このため、ヒーターの断線を防止し、長期に渡って使用することが可能となる。
【図面の簡単な説明】
【図１】本発明の消臭装置の一実施の形態を移動式の仮設便所に収納した屎尿処理装置と組み合わせたもので、その仮設便所の全体斜視図である。
【図２】本発明の消臭装置の一実施の形態を移動式の仮設便所に収納した屎尿処理装置と組み合わせたもので、その屎尿処理装置の内部の機構の配置を示す正面から視たスケルトン図である。
【図３】本発明の消臭装置の一実施の形態を移動式の仮設便所に収納した屎尿処理装置と組み合わせたもので、その屎尿処理装置の内部の機構の配置を示す側面から視たスケルトン図である。
【図４】本発明の消臭装置の一実施の形態を移動式の仮設便所に収納した屎尿処理装置と組み合わせたもので、内部の機構の配置を示す背面から視たスケルトン図である。
【図５】本発明の消臭装置の一実施の形態を移動式の仮設便所に収納した屎尿処理装置と組み合わせたもので、加熱部と駆動部の付近を示す周囲を省略した斜視図である。
【図６】本発明の消臭装置の一実施の形態を移動式の仮設便所に収納した屎尿処理装置と組み合わせたもので、保持板を取り外して加熱部の付近を上方から視た平面図である。
【図７】本発明の消臭装置の一実施の形態を移動式の仮設便所に収納した屎尿処理装置と組み合わせたもので、図５におけるＡーＡに矢視した縦断面図である。
【図８】本発明の消臭装置の一実施の形態を移動式の仮設便所に収納した屎尿処理装置と組み合わせたもので、加熱部と駆動部の主要部材を分解して上下に分離して示した分解斜視図である。
【図９】本発明の消臭装置の一実施の形態を移動式の仮設便所に収納した屎尿処理装置と組み合わせたもので、攪拌部と軸受部の構成を示すために加熱部を破線で示した側面図である。
【図１０】本発明の消臭装置の一実施の形態を移動式の仮設便所に収納した屎尿処理装置と組み合わせたもので、屎尿処理装置における軸受部の構成を示す、主要部材を分解して上下に配置して示す分解斜視図である。
【図１１】本発明の消臭装置の一実施の形態を移動式の仮設便所に収納した屎尿処理装置と組み合わせたもので、屎尿処理装置における軸受部の構成を示す縦断面図である。
【図１２】本発明の消臭装置の一実施の形態を移動式の仮設便所に収納した屎尿処理装置と組み合わせたもので、屎尿処理装置における攪拌部の構成を軸受部の一部と共に示す斜視図である。
【図１３】本発明の消臭装置の一実施の形態を移動式の仮設便所に収納した屎尿処理装置と組み合わせたもので、加熱部の構成を示し、蓋板を取り外した状態の斜視図である。
【図１４】本発明の消臭装置の一実施の形態を移動式の仮設便所に収納した屎尿処理装置と組み合わせたもので、再加熱部、防臭部、排気部の構成を示す斜め後から視た斜視図である。
【図１５】本発明の消臭装置の一実施の形態を示し、内部の構造を示す縦断面図である。
【図１６】本発明の消臭装置の一実施の形態を示し、構成部材を分離して示した分解斜視図である。
【図１７】本発明の消臭装置の一実施の形態を移動式の仮設便所に収納した屎尿処理装置と組み合わせたもので、排気部の内部の構成を示すために一部を破断した斜視図である。
【図１８】本発明の消臭装置の一実施の形態を移動式の仮設便所に収納した屎尿処理装置と組み合わせたもので、塵埃回収部の内部の構成を示すために一部を破断した斜視図である。
【図１９】本発明の消臭装置の一実施の形態を移動式の仮設便所に収納した屎尿処理装置と組み合わせたもので、空気と屎尿の流路のために各機構の間を結ぶ配管の接続状況を示す説明図である。
【図２０】本発明の消臭装置の一実施の形態を移動式の仮設便所に収納した屎尿処理装置と組み合わせたもので、全ての動作を制御する電気系のブロック図である。
【図２１】本発明の消臭装置の一実施の形態を移動式の仮設便所に収納した屎尿処理装置と組み合わせたもので、動作の概略を示すフローチャートである。
【図２２】本発明の消臭装置の一実施の形態を移動式の仮設便所に収納した屎尿処理装置と組み合わせたもので、動作の概略を示すフローチャートである。
【図２３】本発明の消臭装置の一実施の形態を移動式の仮設便所に収納した屎尿処理装置と組み合わせたもので、動作における各部の動作状況の相関を示す真理表である。
【図２４】本発明の消臭装置の他の実施の形態を示し、内部の構造を示す縦断面図である。
【図２５】本発明の消臭装置の他の実施の形態を示し、構成部材を分離して示した分解斜視図である。
２４  消臭手段としての消臭部
１２７  外筒
１２８  底板
１２９  内筒
１３０  排気ジョイント
１３１  吸気ジョイント
１３２  網底板
１３３  触媒粒
１３４  フィルター
１３６  上蓋板
１３８  底蓋板
１３９  ヒーター
１４３  温度センサー
２１０  外筒
２１１  底板
２１３  内筒
２１３  排気ジョイント
２１４  網底板
２１７  中間筒
２２０  上筒
２２４  吸気ジョイント
２２５  上蓋板
２２８  第一触媒粒
２２９  第二触媒粒
２３０  フィルター
２３１  籠体としての粒子カゴ
２３３  底蓋板
２３５  ヒーター
２３６  温度センサー
【図１】
0003909390.tif 000002
【図２】
0003909390.tif 000003
【図３】
0003909390.tif 000004
【図４】
0003909390.tif 000005
【図５】
0003909390.tif 000006
【図６】
0003909390.tif 000007
【図７】
0003909390.tif 000008
【図８】
0003909390.tif 000009
【図９】
0003909390.tif 000010
【図１０】
0003909390.tif 000011
【図１１】
0003909390.tif 000012
【図１２】
0003909390.tif 000013
【図１３】
0003909390.tif 000014
【図１４】
0003909390.tif 000015
【図１５】
0003909390.tif 000016
【図１６】
0003909390.tif 000017
【図１７】
0003909390.tif 000018
【図１８】
0003909390.tif 000019
【図１９】
0003909390.tif 000020
【図２０】
0003909390.tif 000021
【図２１】
0003909390.tif 000022
【図２２】
0003909390.tif 000023
【図２３】
0003909390.tif 000024
【図２４】
0003909390.tif 000025
【図２５】
0003909390.tif 000026